(57)【要約】【課題】受信されるデジタル映像信号が規格に正確に従っていない場合でも正確な色差信号を生成することができるデジタル信号受信装置、デジタル信号受信方法およびデジタル信号受信プログラムを提供する。【解決手段】色差処理部２１は、色差信号Ｕ／Ｖから画素ごとに色差信号Ｕの値および色差信号Ｖの値を認識し、輝度信号Ｙの値ならびに認識した色差信号Ｕの値および色差信号Ｖの値を各画素に割り当てる。反転処理部２２は、色差処理部２１が認識した色差信号Ｕの値および色差信号Ｖの値が、それぞれ本来的に色差信号Ｖの値および色差信号Ｕの値として認識されるべきである場合に、各画素に割り当てられた色差信号Ｕの値および色差信号Ｖの値の色差処理部２１による認識を反転させる。変換処理部２３は、各画素の輝度信号Ｙの値、ならびに最終的に認識された各画素の色差信号Ｕの値および色差信号Ｖの値を原色信号Ｒ，Ｇ，Ｂの値に変換する。【選択図】図１
2007281667.tif 000002
【特許請求の範囲】
【請求項１】
デジタル信号を受信するデジタル信号受信装置であって、
前記デジタル信号を受信し、前記デジタル信号から水平同期パルスを有する水平同期信号、垂直同期信号、輝度信号、第１および第２の色差信号が多重化された多重色差信号、ならびに有効映像期間を示す有効映像信号を出力する信号受信部と、
前記信号受信部により受信された前記デジタル信号の映像フォーマットを検出する映像フォーマット検出部と、
前記信号受信部から出力される水平同期信号の水平同期パルスに応答して、前記信号受信部から出力される前記多重色差信号の値を、前記映像フォーマット検出部により検出された前記映像フォーマットに対応して予め定められた順序で第１および第２の色差信号の値として順次認識する色差処理部と、
前記信号受信部から出力される前記多重色差信号の値が前記順序に従うか否かを判別することにより、前記色差処理部による認識結果の適否を判定する認識判定部と、
前記色差処理部による認識結果が正しくないと前記認識判定部により判定された場合に前記色差処理部による認識結果を反転させる認識反転部とを備えることを特徴とするデジタル信号受信装置。
【請求項２】
前記信号受信部は、前記水平同期信号および前記有効映像信号に基づいて前記デジタル信号の水平走査期間、前記有効映像期間、および前記有効映像期間の終了から次の水平同期パルスの前エッジまでの第２の期間を検出し、
前記認識判定部は、前記信号受信部により検出された前記水平走査期間、前記有効映像期間および前記第２の期間に基づいて、前記水平同期パルスの前エッジから前記有効映像期間の開始までの第１の期間を演算により検出し、検出された前記第１の期間に基づいて前記信号受信部から出力される前記多重色差信号の値が前記順序に従うか否かを判別することを特徴とする請求項１記載のデジタル信号受信装置。
【請求項３】
前記信号受信部から出力される前記水平同期信号および前記有効映像信号に基づいて、前記水平同期パルスの前エッジから前記有効映像期間の開始までの第１の期間を検出する第１の期間検出部をさらに備え、
前記認識判定部は、前記第１の期間検出部により検出された第１の期間に基づいて前記信号受信部から出力される前記多重色差信号の値が前記順序に従うか否かを判別することを特徴とする請求項１記載のデジタル信号受信装置。
【請求項４】
前記認識判定部は、
検出された前記第１の期間に対応する画素数を第１の画素数として取得し、取得された前記第１の画素数を所定の値で除算することにより得られる余りの値に基づいて前記信号受信部から出力される前記多重色差信号の値が前記順序に従うか否かを判別することを特徴とする請求項２または３記載のデジタル信号受信装置。
【請求項５】
前記色差処理部による認識結果、または前記認識反転部により反転された認識結果に基づいて、前記輝度信号ならびに第１および第２の色差信号から複数の原色信号を生成する原色信号生成部をさらに備えることを特徴とする請求項１〜４のいずれかに記載のデジタル信号受信装置。
【請求項６】
前記信号受信部は、ＤＶＩ（デジタル・ビジュアル・インターフェース）規格、またはＨＤＭＩ（ハイ・ディフィニション・マルチメディア・インターフェース）規格に従う前記デジタル信号を受信することを特徴とする請求項１〜５のいずれかに記載のデジタル信号受信装置。
【請求項７】
デジタル信号を受信するデジタル信号受信方法であって、
前記デジタル信号を受信し、前記デジタル信号から水平同期パルスを有する水平同期信号、垂直同期信号、輝度信号、第１および第２の色差信号が多重化された多重色差信号、ならびに有効映像期間を示す有効映像信号を出力するステップと、
受信された前記デジタル信号の映像フォーマットを検出するステップと、
出力される水平同期信号の水平同期パルスに応答して、出力される前記多重色差信号の値を、検出された前記映像フォーマットに対応して予め定められた順序で第１および第２の色差信号の値として順次認識するステップと、
出力される前記多重色差信号の値が前記順序に従うか否かを判別することにより、前記認識するステップによる認識結果の適否を判定するステップと、
前記認識するステップによる認識結果が正しくないと判定された場合に前記認識結果を反転させるステップとを含むことを特徴とするデジタル信号受信方法。
【発明の詳細な説明】
【技術分野】
【０００１】
本発明は、デジタル映像信号を受信するデジタル信号受信装置およびデジタル信号受信方法に関する。
【背景技術】
【０００２】
近年、デジタル映像信号を伝送するためにＤＶＩ（ Digital Visual Interface ）規格、ＨＤＭＩ（High-Definition Multimedia Interface ）規格等のデジタルインターフェース規格に準拠した電子機器が開発されている（例えば、特許文献１参照）。
【０００３】
特に、ＨＤＭＩ規格では、デジタル映像信号のブランキング期間に圧縮したデジタル音声信号を多重化することが可能である。
【０００４】
したがって、ＨＤＭＩ規格に準拠するインターフェースを用いると、デジタル映像信号を伝送するためのインターフェースとデジタル音声信号を伝送するためのインターフェースとを個別に設ける必要がない。
【０００５】
以下、ＨＤＭＩ規格に準拠した従来のデジタル信号受信装置を説明する。図１６は、ＨＤＭＩ規格に準拠したデジタル信号受信装置を説明するためのブロック図である。
【０００６】
図１６には、デジタル信号受信装置の一例としてプラズマディスプレイ装置が示されている。
【０００７】
デジタル信号受信装置９０は、ＨＤＭＩレシーバ９１、デジタル映像処理回路９２、ＰＤＰ（プラズマディスプレイパネル）駆動回路９３、ＭＣＵ（マイクロコンピュータユニット）９４およびＰＤＰ（プラズマディスプレイパネル）９５を備える。
【０００８】
デジタル信号受信装置９０にはＨＤＭＩ端子９０ｔが設けられている。このＨＤＭＩ端子９０ｔにＨＤＭＩケーブル８０を介してＨＤＭＩ端子７０ｔを有するＤＶＤ（デジタルバーサタイルディスク）プレーヤ７０が接続されている。
【０００９】
ＤＶＤプレーヤ７０は、ＨＤＭＩ規格に準拠したデジタル映像信号をＴＭＤＳ（ Transition Minimized Differential Signaling ）規格に準拠した伝送形式でＨＤＭＩ端子７０ｔ、ＨＤＭＩケーブル８０およびＨＤＭＩ端子９０ｔを通してデジタル信号受信装置９０のＨＤＭＩレシーバ９１に送信する。
【００１０】
ＨＤＭＩレシーバ９１は、受信したデジタル映像信号を復号し、ＩＴＵ（国際電気通信連合； International Telecommunication Union ）−Ｒ  ＢＴ．６０１に準拠した輝度信号Ｙ、色差信号Ｕ／Ｖ、水平同期信号Ｈ、垂直同期信号Ｖ、データイネーブル信号ＤＥおよびサンプリングクロック信号ＣＬＫを出力する。色差信号Ｕ／Ｖには２種類の色差信号Ｕおよび色差信号Ｖが交互に多重化されている。
【００１１】
輝度信号Ｙ、色差信号Ｕおよび色差信号Ｖは４：２：２の色差フォーマットを有する。データイネーブル信号ＤＥは、水平方向における有効映像期間を示す。
【００１２】
また、ＨＤＭＩレシーバ９１は、受信したデジタル映像信号の映像フォーマットに関する情報（水平画素数および垂直走査線数）を検出し、内蔵のレジスタに映像フォーマットに関する情報を格納する。
【００１３】
ＭＣＵ９４は、ＨＤＭＩレシーバ９１のレジスタに格納された映像フォーマットに関する情報を読み込み、その情報に基づいてデジタル映像処理回路９２を制御する。
【００１４】
デジタル映像処理回路９２は、ＭＣＵ９４の制御に従って色差信号Ｕ／Ｖから画素ごとに色差信号Ｕの値および色差信号Ｖの値を認識し、各画素の輝度信号Ｙの値、色差信号Ｕの値および色差信号Ｖの値を原色信号Ｒ，Ｇ，Ｂの値に変換する。そして、デジタル映像処理回路９２は、原色信号Ｒ，Ｇ，Ｂ、水平同期信号Ｈ、垂直同期信号Ｖ、データイネーブル信号ＤＥおよびサンプリングクロック信号ＣＬＫをＰＤＰ駆動回路９３に与える。
【００１５】
ＰＤＰ駆動回路９３は、原色信号Ｒ，Ｇ，Ｂ、水平同期信号Ｈ、垂直同期信号Ｖ、データイネーブル信号ＤＥおよびサンプリングクロック信号ＣＬＫに基づいてＰＤＰ９５の画面に映像を表示させる。
【００１６】
図１７は、図１６のＨＤＭＩレシーバ９１から映像信号処理回路９２に伝送される信号の一例を示すタイミング図である。
【００１７】
図１７には、色差信号Ｕ／Ｖ、輝度信号Ｙ、サンプリングクロック信号ＣＬＫ、データイネーブル信号ＤＥ、水平同期信号Ｈおよび垂直同期信号Ｖが示されている。
【００１８】
本例では、例えば受信されるデジタル映像信号の映像フォーマットが５２５Ｉ（６０Ｈｚ）および６２５Ｉ（５０Ｈｚ）以外の場合を想定する。この場合、サンプリングクロック信号ＣＬＫの１周期が１画素に相当する。以下、サンプリングクロック信号ＣＬＫの１周期を１クロックと呼ぶ。なお、映像フォーマットが５２５Ｉ（６０Ｈｚ）および６２５Ｉ（５０Ｈｚ）である場合には、サンプリングクロック信号ＣＬＫの２周期が１画素に相当するが、本例ではこれを考慮しない。
【００１９】
色差信号Ｕ／Ｖは、サンプリングクロック信号ＣＬＫの周期で色差信号Ｕの値と色差信号Ｖの値とを交互に含む。以下、色差信号Ｕの値と色差信号Ｖの値とを区別する場合には、色差信号Ｕの値を色差値Ｕと呼び、色差信号Ｖの値を色差値Ｖと呼ぶ。
【００２０】
例えば、画素０の色差値Ｕおよび色差値Ｖは“Ｕ０”および“Ｖ０”であり、画素１の色差値Ｕおよび色差値Ｖも“Ｕ０”および“Ｖ０”である。このように、２つの画素に共通の２つの色差値Ｕ，Ｖが割り当てられる。
【００２１】
輝度信号Ｙは、サンプリングクロック信号ＣＬＫの周期で画素ごとの値を含む。以下、輝度信号Ｙの値を輝度値Ｙと呼ぶ。
【００２２】
例えば、画素０の輝度値Ｙは“Ｙ０”であり、画素１の輝度値Ｙは“Ｙ１”である。このように、１つの画素に１つの輝度値Ｙが割り当てられる。色差信号Ｕ／Ｖおよび輝度信号Ｙのブランキング期間には、色差フォーマットに関する情報、制御情報、音声情報等の各種関連情報が多重化される。
【００２３】
図１７では、色差信号Ｕ／Ｖおよび輝度信号Ｙのブランキング期間に多重化される関連情報が“ｖａｌ”で表されている。
【００２４】
データイネーブル信号ＤＥのハイレベルの期間が水平方向における有効映像期間を示している。データイネーブル信号ＤＥのローレベルの期間がブランキング期間に相当する。有効映像期間における色差信号Ｕ／Ｖおよび輝度信号Ｙに基づいて画面上に複数の画素からなる映像が表示される。
【特許文献１】特開２００６−１９８０９号公報
【発明の開示】
【発明が解決しようとする課題】
【００２５】
図１８は、図１６のデジタル映像処理回路９２の処理を説明するためのタイミング図である。本例では、水平走査線数１１２５本で６０Ｈｚのインタレース方式による水平同期信号Ｈ、データイネーブル信号ＤＥ、色差信号Ｕ／Ｖおよび輝度信号Ｙの一例を説明する。
【００２６】
図１８（ａ）はデジタル映像処理回路９２に入力される水平同期信号Ｈ、データイネーブル信号ＤＥ、色差信号Ｕ／Ｖおよび輝度信号Ｙの一例を示す。図１８（ｂ）はデジタル映像処理回路９２において認識される色差値Ｕ，Ｖを示し、図１８（ｃ）はデジタル映像処理回路９２により画素に割り当てられた色差値Ｕ、色差値Ｖおよび輝度値Ｙを示す。図１８（ｄ）は色差値Ｕ、色差値Ｖおよび輝度値Ｙに基づいて得られた原色信号Ｒ，Ｇ，Ｂの値を示す。
【００２７】
図１８（ａ）に示すように、デジタル映像処理回路９２に色差信号Ｕ／Ｖおよび輝度信号Ｙが入力される。ここでは、色差信号Ｕ／Ｖは、値“ｕ０”，“ｖ０”，…“ｕ８”，“ｖ８”を順に含む。なお、色差信号Ｕ／Ｖは、ブランキング期間に関連情報の値“ｖａｌ”を含む。また、輝度信号Ｙは、値“ｙ０”，…“ｙ９”を順に含む。
【００２８】
色差信号Ｕ／Ｖの値“ｕ０”，…“ｕ８”は本来的には色差値Ｕを表し、色差信号Ｕ／Ｖの値“ｖ０”，…“ｖ８”は本来的には色差値Ｖを表す。
【００２９】
水平同期信号Ｈの立ち上がりから画面に表示される１走査線の最初の画素までの期間Ｔ０は映像フォーマットごとに規格で規定されている。この期間Ｔ０は水平走査線数１１２５本で６０Ｈｚのインタレース方式では、期間Ｔ０のクロック数は１９２に定められている。他の映像フォーマットにおいても、期間Ｔ０のクロック数は偶数に定められている。そのため、水平同期信号Ｈの立ち上がりを基準として色差信号Ｕ／Ｖの奇数番目の値は色差値Ｕを表し、偶数番目の値は色差値Ｖを表す。
【００３０】
図１８（ｂ）に示すように、デジタル映像処理回路９２は、水平同期信号Ｈの立ち上がりを基準として色差信号Ｕ／Ｖの値を交互に色差値Ｕおよび色差値Ｖと認識する。すなわち、デジタル映像処理回路９２は、データイネーブル信号ＤＥとは無関係に水平同期信号Ｈの立ち上がりから奇数番目の値を色差値Ｕであると認識し、偶数番目の値を色差値Ｖであると認識する。
【００３１】
それにより、図１８（ｃ）に示すように、デジタル映像処理回路９２は、色差信号Ｕ／Ｖの値“ｕ０”，“ｕ２”，“ｕ４”，“ｕ６”を色差値Ｕとして認識し、色差信号Ｕ／Ｖの値“ｖ０”，“ｖ２”，“ｖ４”，“ｖ６”を色差値Ｖとして認識する。この場合、デジタル映像処理回路９２は、各色差値Ｕおよび各色差値Ｖを２つの画素に割り当て、各輝度値Ｙを１つの画素に割り当てる。
【００３２】
例えば、色差信号Ｕ／Ｖの値“ｕ０”，“ｖ０”および輝度信号Ｙの値“ｙ０”が画素０に割り当てられ、色差信号Ｕ／Ｖの値“ｕ０”，“ｖ０”および輝度信号Ｙの値“ｙ１”が画素１に割り当てられる。
【００３３】
なお、デジタル映像処理回路９２は、色差値Ｕ，Ｖの認識の際に、データイネーブル信号ＤＥにより示される有効映像期間については認識しない。したがって、関連情報“ｖａｌ”の値も順に色差値Ｕおよび色差値Ｖとして認識する。
【００３４】
さらに、図１８（ｄ）に示すように、デジタル映像処理回路９２は、各画素の色差値Ｕ、色差値Ｖおよび輝度値Ｙを原色信号Ｒ，Ｇ，Ｂに変換する。例えば、画素０の色差信号Ｕ／Ｖの値“ｕ０”，“ｖ０”および輝度信号Ｙの値“ｙ０”が原色信号“Ｒ０”，“Ｇ０”，“Ｂ０”に変換される。また、画素１の色差信号Ｕ／Ｖの値“ｕ０”，“ｖ０”および輝度信号Ｙの値“ｙ１”が原色信号の値“Ｒ１”，“Ｇ１”，“Ｂ１”に変換される。
【００３５】
このようにして、色差信号Ｕ／Ｖおよび輝度信号Ｙから原色信号Ｒ，Ｇ，Ｂが得られる。
【００３６】
ＰＤＰ駆動回路９３は、データイネーブル信号ＤＥがハイレベルの期間における原色信号Ｒ，Ｇ，Ｂの値をＰＤＰ９５に表示させる。
【００３７】
上記のように、映像フォーマットの規格に従った適正な色差信号Ｕ／Ｖでは、水平同期信号Ｈの立ち上がりを基準として奇数番目の値が色差値Ｕを示し、偶数番目の値が色差値Ｖを示すので、デジタル映像処理回路９２は水平同期信号Ｈの立ち上がりを基準として色差信号Ｕ／Ｖの各値が色差値Ｕを示すかまたは色差値Ｖを示すかを認識することができる。
【００３８】
しかしながら、外部機器から映像信号受信装置９０に映像フォーマットの規格に従わない不正な色差信号Ｕ／Ｖが与えられた場合、デジタル映像処理回路９２は色差信号Ｕ／Ｖの各値が色差値Ｕを示すかまたは色差値Ｖを示すかを誤って認識してしまう。
【００３９】
図１９は、不正な信号が与えられた場合のデジタル映像処理回路９２の処理を説明するためのタイミング図である。
【００４０】
なお、本例において、不正な信号とは、上述の映像フォーマットの規格に従わない不正な色差信号Ｕ／Ｖのうち、特にブランキング期間に関連情報の値“ｖａｌ”が奇数個存在する信号をいう。
【００４１】
図１９（ａ）はデジタル映像処理回路９２に入力される水平同期信号Ｈ、データイネーブル信号ＤＥ、色差信号Ｕ／Ｖおよび輝度信号Ｙの一例を示す。図１９（ｂ）はデジタル映像処理回路９２において認識される色差値Ｕ，Ｖを示し、図１９（ｃ）はデジタル映像処理回路９２により画素に割り当てられた色差値Ｕ、色差値Ｖおよび輝度値Ｙを示す。図１９（ｄ）は色差値Ｕ、色差値Ｖおよび輝度値Ｙに基づいて得られた原色信号Ｒ，Ｇ，Ｂの値を示す。
【００４２】
図１９（ａ）の例では、デジタル映像処理回路９２に映像フォーマットの規格から外れた不正な色差信号Ｕ／Ｖおよび輝度信号Ｙが入力される。ここで、色差信号Ｕ／Ｖの値“ｕ０”，…“ｕ８”は本来的には色差値Ｕを表し、色差信号Ｕ／Ｖの値“ｖ０”，…“ｖ８”は本来的には色差値Ｖを表す。
【００４３】
本例の色差信号Ｕ／Ｖおよび輝度信号Ｙでは、水平同期信号Ｈの立ち上がりから画面に表示される１走査線の最初の画素までの期間が映像フォーマットごとに規格で規定された期間Ｔ０からずれている。そのため、水平同期信号Ｈの立ち上がりを基準として色差信号Ｕ／Ｖの奇数番目の値は色差値Ｖを表し、偶数番目の値は色差値Ｕを表す。
【００４４】
図１９（ｂ）に示すように、デジタル映像処理回路９２は、水平同期信号Ｈの立ち上がりを基準として色差信号Ｕ／Ｖの値を交互に色差値Ｕおよび色差値Ｖと認識する。すなわち、デジタル映像処理回路９２は、データイネーブル信号ＤＥとは無関係に水平同期信号Ｈの立ち上がりから奇数番目の値を色差値Ｕであると認識し、偶数番目の値を色差値Ｖであると認識する。
【００４５】
それにより、図１９（ｃ）に示すように、デジタル映像処理回路９２は、色差信号Ｕ／Ｖの値“ｖａｌ”，“ｖ０”，“ｖ２”，“ｖ４”，“ｖ６”を色差値Ｕとして認識し、色差信号Ｕ／Ｖの値“ｕ０”，“ｕ２”，“ｕ４”，“ｕ６”を色差値Ｖとして認識する。このように、デジタル映像処理回路９２は、本来色差値Ｖである値“ｖ０”，“ｖ２”，“ｖ４”，“ｖ６”を色差値Ｕと誤って認識し、本来色差値Ｕである値“ｕ０”，“ｕ２”，“ｕ４”，“ｕ６”を色差値Ｖと誤って認識する。
【００４６】
この場合も、デジタル映像処理回路９２は、各色差値Ｕおよび各色差値Ｖを２つの画素に割り当て、各輝度値Ｙを１つの画素に割り当てる。
【００４７】
例えば、色差信号Ｕ／Ｖの値“ｖａｌ”，“ｕ０”および輝度信号Ｙの値“ｙ０”が画素０の色差値Ｕ、色差値Ｖおよび輝度値Ｙに割り当てられ、色差信号Ｕ／Ｖの値“ｖ０”，“ｕ２”および輝度信号Ｙの値“ｙ１”が画素１の色差値Ｕ、色差値Ｖおよび輝度値Ｙに割り当てられる。
【００４８】
この結果、図１９（ｄ）に示すように、デジタル映像処理回路９２が各画素の誤った色差値Ｕ、誤った色差値Ｖおよび輝度値Ｙを原色信号Ｒ，Ｇ，Ｂに変換すると、原色信号Ｒ，Ｇ，Ｂの値が誤ったものとなる。
【００４９】
例えば、画素０の色差信号Ｕ／Ｖの値“ｖａｌ”，“ｕ０”および輝度信号Ｙの値“ｙ０”が原色信号“ｒ０”，“ｇ０”，“ｂ０”に変換される。また、画素１の色差信号Ｕ／Ｖの値“ｖ０”，“ｕ２”および輝度信号Ｙの値“ｙ１”が原色信号の値“ｒ１”，“ｇ１”，“ｂ１”に変換される。
【００５０】
このように、色差信号Ｕ／Ｖおよび輝度信号Ｙから誤った原色信号Ｒ，Ｇ，Ｂが得られる。その結果、画面に表示される映像の色が本来の色と異なるものとなる。
【００５１】
通常、使用者は、デジタル信号受信装置９０により画面に表示された映像の色が異常である場合には、外部機器からのデジタル映像信号が適正でないと想像することはできない。そのため、使用者は、デジタル信号受信装置９０が不良であると判断する場合がある。
【００５２】
したがって、たとえ外部機器から規格に正確に従わない不正なデジタル映像信号が与えられた場合でも、デジタル信号受信装置９０が適正な映像を表示することが望まれる。
【００５３】
本発明の目的は、受信されるデジタル映像信号が規格に正確に従っていない場合でも正確な色差信号を生成することができるデジタル信号受信装置およびデジタル信号受信方法を提供することである。
【課題を解決するための手段】
【００５４】
（１）第１の発明に係るデジタル信号受信装置は、デジタル信号を受信するデジタル信号受信装置であって、デジタル信号を受信し、デジタル信号から水平同期パルスを有する水平同期信号、垂直同期信号、輝度信号、第１および第２の色差信号が多重化された多重色差信号、ならびに有効映像期間を示す有効映像信号を出力する信号受信部と、信号受信部により受信されたデジタル信号の映像フォーマットを検出する映像フォーマット検出部と、信号受信部から出力される水平同期信号の水平同期パルスに応答して、信号受信部から出力される多重色差信号の値を、映像フォーマット検出部により検出された映像フォーマットに対応して予め定められた順序で第１および第２の色差信号の値として順次認識する色差処理部と、信号受信部から出力される多重色差信号の値が予め定められた順序に従うか否かを判別することにより、色差処理部による認識結果の適否を判定する認識判定部と、色差処理部による認識結果が正しくないと認識判定部により判定された場合に色差処理部による認識結果を反転させる認識反転部とを備えるものである。
【００５５】
この発明に係るデジタル信号受信装置においては、信号受信部によりデジタル信号が受信され、水平同期パルスを有する水平同期信号、垂直同期信号、輝度信号、第１および第２の色差信号が多重化された多重色差信号、ならびに有効映像期間を示す有効映像信号が出力される。また、信号受信部により受信されたデジタル信号の映像フォーマットが映像フォーマット検出部により検出される。
【００５６】
色差処理部は、信号受信部から出力される水平同期信号の水平同期パルスに応答して、出力される多重色差信号の値を検出された映像フォーマットに対応して予め定められた順序で第１および第２の色差信号の値として順次認識する。
【００５７】
ここで、信号受信部から出力される多重色差信号の値が予め定められた順序に従うか否かが判別されることにより、色差処理部による認識結果の適否が認識判定部により判定される。色差処理部による認識結果が正しくないと認識判定部により判定された場合、色差処理部による認識結果が認識反転部により反転される。
【００５８】
これにより、多重色差信号の値が適正な順序に従わないデジタル信号が受信されたときに、第１および第２の色差信号の値が色差処理部により誤って第２および第１の色差信号の値として認識される場合であっても、誤った認識結果が認識反転部により修正される。
【００５９】
その結果、受信されるデジタル映像信号が規格に正確に従っていない場合でも正確な色差信号を生成することができる。
【００６０】
（２）信号受信部は、水平同期信号および有効映像信号に基づいてデジタル信号の水平走査期間、有効映像期間、および有効映像期間の終了から次の水平同期パルスの前エッジまでの第２の期間を検出し、認識判定部は、信号受信部により検出された水平走査期間、有効映像期間および第２の期間に基づいて、水平同期パルスの前エッジから有効映像期間の開始までの第１の期間を演算により検出し、検出された第１の期間に基づいて信号受信部から出力される多重色差信号の値が予め定められた順序に従うか否かを判別してもよい。
【００６１】
この場合、デジタル信号の水平走査期間、有効映像期間、および有効映像期間の終了から次の水平同期パルスの前エッジまでの第２の期間が、信号受信部により検出される。
【００６２】
認識判定部においては、検出されたデジタル信号の水平走査期間、有効映像期間および第２の期間に基づいて、水平同期パルスの前エッジから有効映像期間の開始までの第１の期間が演算により検出される。
【００６３】
これにより、第１の期間を直接的に得ることができない場合でも、デジタル信号の水平走査期間、有効映像期間および第２の期間を検出することにより、演算により容易に第１の期間が検出できる。
【００６４】
それにより、検出された第１の期間に基づいて、信号受信部から出力される多重色差信号の値が映像フォーマットに対応して予め定められた順序に従うか否かが判別される。
【００６５】
（３）デジタル信号受信装置は、信号受信部から出力される水平同期信号および有効映像信号に基づいて、水平同期パルスの前エッジから有効映像期間の開始までの第１の期間を検出する第１の期間検出部をさらに備え、認識判定部は、第１の期間検出部により検出された第１の期間に基づいて信号受信部から出力される多重色差信号の値が予め定められた順序に従うか否かを判別してもよい。
【００６６】
この場合、水平同期パルスの前エッジから有効映像期間の開始までの第１の期間が、第１の期間検出部により検出される。このように、第１の期間検出部が直接的に第１の期間を検出するので、第１の期間の検出が非常に容易となる。
【００６７】
それにより、検出された第１の期間に基づいて、信号受信部から出力される多重色差信号の値が映像フォーマットに対応して予め定められた順序に従うか否かが判別される。
【００６８】
（４）認識判定部は、検出された第１の期間に対応する画素数を第１の画素数として取得し、取得された第１の画素数を所定の値で除算することにより得られる余りの値に基づいて信号受信部から出力される多重色差信号の値が予め定められた順序に従うか否かを判別してもよい。
【００６９】
この場合、検出された第１の期間に対応する画素数が、第１の画素数として認識判定部により取得される。そして、認識判定部は、第１の画素数を所定の値で除算することにより得られる余りの値に基づいて信号受信部から出力される多重色差信号の値が映像フォーマットに対応して予め定められた順序に従うか否かを判別する。
【００７０】
このように、第１の画素数を所定の値で除算することにより得られる余りの値を用いることにより、信号受信部から出力される多重色差信号の値が映像フォーマットに対応して予め定められた順序に従うか否かの判別を容易に行うことができる。
【００７１】
（５）デジタル信号受信装置は、色差処理部による認識結果、または認識反転部により反転された認識結果に基づいて、輝度信号ならびに第１および第２の色差信号から複数の原色信号を生成する原色信号生成部をさらに備えてもよい。
【００７２】
この場合、輝度信号ならびに色差処理部により認識された第１および第２の色差信号の値、または輝度信号ならびに認識反転部により反転された第１および第２の色差信号の値から、複数の原色信号が原色信号生成部により生成される。複数の原色信号に基づいて、表示装置に映像を表示させることができる。
【００７３】
（６）信号受信部は、ＤＶＩ（デジタル・ビジュアル・インターフェース）規格、またはＨＤＭＩ（ハイ・ディフィニション・マルチメディア・インターフェース）規格に従うデジタル信号を受信してもよい。
【００７４】
（７）第２の発明に係るデジタル信号受信方法は、デジタル信号を受信するデジタル信号受信方法であって、デジタル信号を受信し、デジタル信号から水平同期パルスを有する水平同期信号、垂直同期信号、輝度信号、第１および第２の色差信号が多重化された多重色差信号、ならびに有効映像期間を示す有効映像信号を出力するステップと、受信されたデジタル信号の映像フォーマットを検出するステップと、出力される水平同期信号の水平同期パルスに応答して、出力される多重色差信号の値を、検出された映像フォーマットに対応して予め定められた順序で第１および第２の色差信号の値として順次認識するステップと、出力される多重色差信号の値が予め定められた順序に従うか否かを判別することにより、認識するステップによる認識結果の適否を判定するステップと、認識するステップによる認識結果が正しくないと判定された場合に認識結果を反転させるステップとを含むものである。
【００７５】
この発明に係るデジタル信号受信方法においては、デジタル信号が受信され、水平同期パルスを有する水平同期信号、垂直同期信号、輝度信号、第１および第２の色差信号が多重化された多重色差信号、ならびに有効映像期間を示す有効映像信号が出力される。また、受信されたデジタル信号の映像フォーマットが検出される。
【００７６】
出力される水平同期信号の水平同期パルスに応答して、多重色差信号の値が、検出された映像フォーマットに対応して予め定められた順序で第１および第２の色差信号の値として順次認識される。
【００７７】
そして、出力される多重色差信号の値が予め定められた順序に従うか否かが判別され、その判別結果に基づいて予め定められた順序で順次認識された認識結果の適否が判定される。認識結果が正しくないと判定された場合、予め定められた順序で認識された認識結果が反転される。
【００７８】
これにより、多重色差信号の値が適正な順序に従わないデジタル信号が受信されたときに、第１および第２の色差信号の値が誤って第２および第１の色差信号の値として認識される場合であっても、誤った認識結果が修正される。
【００７９】
その結果、受信されるデジタル映像信号が規格に正確に従っていない場合でも正確な色差信号を生成することができる。
【発明の効果】
【００８０】
本発明に係るデジタル信号受信装置においては、信号受信部によりデジタル信号が受信され、水平同期パルスを有する水平同期信号、垂直同期信号、輝度信号、第１および第２の色差信号が多重化された多重色差信号、ならびに有効映像期間を示す有効映像信号が出力される。また、信号受信部により受信されたデジタル信号の映像フォーマットが映像フォーマット検出部により検出される。
【００８１】
色差処理部は、信号受信部から出力される水平同期信号の水平同期パルスに応答して、出力される多重色差信号の値を検出された映像フォーマットに対応して予め定められた順序で第１および第２の色差信号の値として順次認識する。
【００８２】
ここで、信号受信部から出力される多重色差信号の値が予め定められた順序に従うか否かが判別されることにより、色差処理部による認識結果の適否が認識判定部により判定される。色差処理部による認識結果が正しくないと認識判定部により判定された場合、色差処理部による認識結果が認識反転部により反転される。
【００８３】
これにより、多重色差信号の値が適正な順序に従わないデジタル信号が受信されたときに、第１および第２の色差信号の値が色差処理部により誤って第２および第１の色差信号の値として認識される場合であっても、誤った認識結果が認識反転部により修正される。
【００８４】
その結果、受信されるデジタル映像信号が規格に正確に従っていない場合でも正確な色差信号を生成することができる。
【発明を実施するための最良の形態】
【００８５】
本発明の一実施の形態に係るデジタル信号受信装置およびデジタル信号受信方法について図面を参照しつつ説明する。
【００８６】
（１）デジタル信号受信装置の構成
図１は、ＨＤＭＩ（ High-Definition Multimedia Interface ）規格に準拠したデジタル信号受信装置を説明するためのブロック図である。図１には、デジタル信号受信装置の一例としてプラズマディスプレイ装置が示されている。
【００８７】
デジタル信号受信装置１００は、ＨＤＭＩレシーバ１０、デジタル映像処理回路２０、ＰＤＰ（プラズマディスプレイパネル）駆動回路３０、ＭＣＵ（マイクロコンピュータユニット）４０およびＰＤＰ（プラズマディスプレイパネル）５０を備える。また、デジタル映像処理回路２０は、色差処理部２１、反転処理部２２および変換処理部２３を有する。
【００８８】
デジタル信号受信装置１００にはＨＤＭＩ端子１００ｔが設けられている。このＨＤＭＩ端子１００ｔにＨＤＭＩケーブル２を介してＨＤＭＩ端子１ｔを有するＤＶＤ（デジタルバーサタイルディスク）プレーヤ１が接続されている。
【００８９】
ＤＶＤプレーヤ１は、ＨＤＭＩ規格に準拠したデジタル映像信号をＴＭＤＳ（ Transition Minimized Differential Signaling ）規格に準拠した伝送形式でＨＤＭＩ端子１ｔ、ＨＤＭＩケーブル２およびＨＤＭＩ端子１００ｔを通してデジタル信号受信装置１００のＨＤＭＩレシーバ１０に送信する。
【００９０】
ＨＤＭＩレシーバ１０は、受信したデジタル映像信号を復号し、ＩＴＵ（国際電気通信連合； International Telecommunication Union ）−Ｒ  ＢＴ．６０１に準拠した輝度信号Ｙ、色差信号Ｕ／Ｖ、水平同期信号Ｈ、垂直同期信号Ｖ、データイネーブル信号ＤＥおよびサンプリングクロック信号ＣＬＫをデジタル映像処理回路２０へ伝送する。色差信号Ｕ／Ｖには２種類の色差信号Ｕおよび色差信号Ｖが交互に多重化されている。
【００９１】
本実施の形態において、輝度信号Ｙ、色差信号Ｕおよび色差信号Ｖは４：２：２の色差フォーマットを有する。データイネーブル信号ＤＥは、水平方向における有効映像期間を示す。
【００９２】
また、ＨＤＭＩレシーバ１０は、受信したデジタル映像信号の映像フォーマットに関する情報（後述する水平画素数ｈｒおよび垂直走査線数ｖｒ）を検出し、内蔵のレジスタに映像フォーマットに関する情報を格納する。
【００９３】
ＭＣＵ４０は、ＨＤＭＩレシーバ１０のレジスタに格納された映像フォーマットに関する情報を読み込み、その情報に基づいてデジタル映像処理回路２０を制御する。
【００９４】
デジタル映像処理回路２０において、色差処理部２１は、ＭＣＵ４０の制御に従って色差信号Ｕ／Ｖから画素ごとに色差信号Ｕの値および色差信号Ｖの値を認識し、輝度信号Ｙの値ならびに認識した色差信号Ｕの値および色差信号Ｖの値を各画素に割り当てる。以下、色差処理部２１によるこの処理を色差処理と呼ぶ。
【００９５】
反転処理部２２は、色差処理部２１が認識した色差信号Ｕの値および色差信号Ｖの値がそれぞれ本来的に色差信号Ｖの値および色差信号Ｕの値として認識されるべきである場合に、色差処理部２１により各画素に割り当てられた色差信号Ｕの値および色差信号Ｖの値をそれぞれ色差信号Ｖの値および色差信号Ｕの値とみなす。以下、ＭＣＵ４０および反転処理部２２によるこの処理を反転処理と呼ぶ。
【００９６】
変換処理部２３は、各画素の輝度信号Ｙの値、ならびに色差処理部２１および反転処理部２２により最終的に認識された各画素の色差信号Ｕの値および色差信号Ｖの値を原色信号Ｒ，Ｇ，Ｂの値に変換する。以下、変換処理部２３によるこの処理を原色変換処理と呼ぶ。
【００９７】
そして、デジタル映像処理回路２０は、原色信号Ｒ，Ｇ，Ｂ、水平同期信号Ｈ、垂直同期信号Ｖ、データイネーブル信号ＤＥおよびサンプリングクロック信号ＣＬＫをＰＤＰ駆動回路３０に与える。
【００９８】
さらに、デジタル映像処理回路２０においては、反転処理に用いられる情報（後述する第１のブランキング画素数）が内蔵のレジスタに格納される。
【００９９】
ＰＤＰ駆動回路３０は、原色信号Ｒ，Ｇ，Ｂ、水平同期信号Ｈ、垂直同期信号Ｖ、データイネーブル信号ＤＥおよびサンプリングクロック信号ＣＬＫに基づいてＰＤＰ５０の画面に映像を表示させる。
【０１００】
（２）ＨＤＭＩレシーバからデジタル映像処理回路へ伝送される信号
図２は、図１のＨＤＭＩレシーバ１０からデジタル映像処理回路２０に伝送される信号の一例を示すタイミング図である。なお、本例では、水平走査線数１１２５本でフィールド周波数が６０Ｈｚのインタレース方式による水平同期信号Ｈ、データイネーブル信号ＤＥ、色差信号Ｕ／Ｖおよび輝度信号Ｙを説明する。
【０１０１】
図２には、色差信号Ｕ／Ｖ、輝度信号Ｙ、サンプリングクロック信号ＣＬＫ、データイネーブル信号ＤＥ、水平同期信号Ｈおよび垂直同期信号Ｖが示されている。
【０１０２】
サンプリングクロック信号ＣＬＫの１周期が１画素に相当する。以下、サンプリングクロック信号ＣＬＫの１周期を１クロックと呼ぶ。
【０１０３】
本例では、色差信号Ｕ／Ｖは、サンプリングクロック信号ＣＬＫの周期で色差信号Ｕの値と色差信号Ｖの値とを交互に含む。以下、色差信号Ｕの値と色差信号Ｖの値とを区別する場合には、色差信号Ｕの値を色差値Ｕと呼び、色差信号Ｖの値を色差値Ｖと呼ぶ。
【０１０４】
例えば、画素０の色差値Ｕおよび色差値Ｖは“Ｕ０”および“Ｖ０”であり、画素１の色差値Ｕおよび色差値Ｖも“Ｕ０”および“Ｖ０”である。このように、２つの画素に共通の２つの色差値Ｕ，Ｖが割り当てられる。
【０１０５】
輝度信号Ｙは、サンプリングクロック信号ＣＬＫの周期で画素ごとの値を含む。以下、輝度信号Ｙの値を輝度値Ｙと呼ぶ。
【０１０６】
例えば、画素０の輝度値Ｙは“Ｙ０”であり、画素１の輝度値Ｙは“Ｙ１”である。このように、１つの画素に１つの輝度値Ｙが割り当てられる。
【０１０７】
色差信号Ｕ／Ｖおよび輝度信号Ｙのブランキング期間には、色差フォーマットに関する情報、制御情報、音声情報等の各種関連情報が多重化される。
【０１０８】
図２では、色差信号Ｕ／Ｖおよび輝度信号Ｙのブランキング期間に多重化される関連情報が“ｖａｌ”で表されている。
【０１０９】
データイネーブル信号ＤＥのハイレベルの期間が水平方向における有効映像期間ＤＥＰを示している。
【０１１０】
データイネーブル信号ＤＥのローレベルの期間がブランキング期間に相当する。なお、図２においては、データイネーブル信号ＤＥのローレベルの期間は水平ブランキング期間に相当する。
【０１１１】
ここで、本実施の形態においては、データイネーブル信号ＤＥのローレベルの期間のうち、水平同期信号Ｈの立ち上がりからデータイネーブル信号ＤＥの立ち上がりまでの期間を第１のブランキング期間ＨＤＥと呼ぶ。
【０１１２】
また、データイネーブル信号ＤＥのローレベルの期間のうち、データイネーブル信号ＤＥの立ち下がりから次の水平同期信号Ｈの立ち上がりまでの期間を第２のブランキング期間ＢＢと呼ぶ。
【０１１３】
図２においては、水平走査期間が矢印ＨＲで示され、垂直走査期間が矢印ＶＲで示されている。
【０１１４】
有効映像期間ＤＥＰにおける色差信号Ｕ／Ｖおよび輝度信号Ｙに基づいてＰＤＰ５０の画面上に複数の画素からなる映像が表示される。
【０１１５】
これらの水平走査期間ＨＲ、垂直走査期間ＶＲ、第１のブランキング期間ＨＤＥ、有効映像期間ＤＥＰおよび第２のブランキング期間ＢＢは、上記の映像フォーマットに準じて予め定められている。
【０１１６】
しかしながら、映像フォーマットの規格に従わない不正なデジタル映像信号が与えられると、第１のブランキング期間ＨＤＥが、予め規格により定められた期間と異なる場合がある。
【０１１７】
このとき、与えられるデジタル映像信号が映像フォーマットの規格に従うことを前提に処理を行うと、ＰＤＰ５０の画面上に表示される映像の色が本来の色と異なる場合がある。
【０１１８】
本実施の形態に係るデジタル信号受信装置１００では、不正なデジタル映像信号が与えられる場合でも、第１のブランキング期間ＨＤＥを正確に検出する。それにより、ＰＤＰ５０の画面上に本来の色で映像を表示させることができる。第１のブランキング期間ＨＤＥの正確な検出処理については後述する。
【０１１９】
（３）各構成部においてレジスタに格納される情報の内容
上述のように、図１のＨＤＭＩレシーバ１０およびデジタル映像処理回路２０においては、それぞれの内蔵のレジスタに種々の情報が格納される。ＨＤＭＩレシーバ１０およびデジタル映像処理回路２０に格納される情報について説明する。
【０１２０】
図３は、図１のＨＤＭＩレシーバ１０およびデジタル映像処理回路２０に格納される情報を示す図である。
【０１２１】
図３（ａ）にＨＤＭＩレシーバ１０のレジスタに格納される情報の内容が示されている。
【０１２２】
上述のように、ＨＤＭＩレシーバ１０は、ＤＶＤプレーヤ１から受信したデジタル映像信号を復号し、ＩＴＵ−Ｒ  ＢＴ．６０１に準拠した輝度信号Ｙ、色差信号Ｕ／Ｖ、水平同期信号Ｈ、垂直同期信号Ｖ、データイネーブル信号ＤＥおよびサンプリングクロック信号ＣＬＫをデジタル映像処理回路２０へ伝送する。
【０１２３】
ここで、ＨＤＭＩレシーバ１０は、復号した水平同期信号Ｈおよびサンプリングクロック信号ＣＬＫに基づいて水平走査期間ＨＲにおけるクロック数を検出することにより、水平方向の画素数を水平画素数ｈｒとしてレジスタに格納する。
【０１２４】
また、ＨＤＭＩレシーバ１０は、復号した垂直同期信号Ｖおよび水平同期信号Ｈに基づいて垂直走査期間ＶＲにおける水平同期信号Ｈのパルス数を検出することにより、垂直方向の走査線数を垂直走査線数ｖｒとしてレジスタに格納する。
【０１２５】
さらに、ＨＤＭＩレシーバ１０は、復号したデータイネーブル信号ＤＥおよびサンプリングクロック信号ＣＬＫに基づいて有効映像期間ＤＥＰにおけるクロック数を検出することにより、水平方向の１走査線において画面に表示される画素数を有効水平画素数ｄｅｐとしてレジスタに格納する。
【０１２６】
また、ＨＤＭＩレシーバ１０は、復号した水平同期信号Ｈ、データイネーブル信号ＤＥおよびサンプリングクロック信号ＣＬＫに基づいて、第２のブランキング期間ＢＢにおけるクロック数を検出することにより、画面に表示される１走査線の最後の画素の次の画素から、水平同期信号Ｈの次の立ち上がりまでの画素数を第２のブランキング画素数ｂｂとしてレジスタに格納する。
【０１２７】
図３（ｂ）にデジタル映像処理回路２０のレジスタに格納される情報の内容が示されている。
【０１２８】
デジタル映像処理回路２０は、ＨＤＭＩレシーバ１０から伝送される水平同期信号Ｈ、データイネーブル信号ＤＥおよびサンプリングクロック信号ＣＬＫに基づいて第１のブランキング期間ＨＤＥにおけるクロック数を検出することにより、水平同期信号Ｈの立ち上がりから画面に表示される１走査線の最初の画素までの画素数を第１のブランキング画素数ｈｄｅとしてレジスタに格納する。
【０１２９】
（４）ＭＣＵに記憶される映像フォーマットテーブル
上述のように、ＭＣＵ４０は、ＨＤＭＩレシーバ１０のレジスタに格納された映像フォーマットに関する情報を読み込み、その情報に基づいてデジタル映像処理回路２０を制御する。
【０１３０】
ここで、ＨＤＭＩレシーバ１０のレジスタに格納された映像フォーマットに関する情報とは、水平画素数ｈｒおよび垂直走査線数ｖｒである。
【０１３１】
映像フォーマットの規格においては、水平画素数ｈｒおよび垂直走査線数ｖｒが予め定められている。
【０１３２】
ＭＣＵ４０は記憶部を内蔵し、その記憶部には、映像フォーマットごとに定められた水平画素数ｈｒおよび垂直走査線数ｖｒを示す映像フォーマットテーブルが記憶されている。
【０１３３】
図４は、ＭＣＵ４０に予め記憶される映像フォーマットテーブルを示す図である。図４に示される映像フォーマットにおいて、符号「Ｉ」はインタレース方式である旨を示し、符号「Ｐ」はプログレッシブ方式である旨を示す。映像フォーマットテーブルにおいては、映像フォーマットごとに、水平画素数ｈｒおよび垂直走査線数ｖｒの値が関連付けされている。
【０１３４】
なお、水平画素数ｈｒおよび垂直走査線数ｖｒは映像フォーマットごとに特定の値に定められている。しかしながら、本実施の形態では、実際にＨＤＭＩレシーバ１０により検出される水平画素数ｈｒおよび垂直走査線数ｖｒの値にわずかな差が生じても映像フォーマットを特定できるように、規格上定められる値を中心とする所定の範囲の値を各映像フォーマットに関連付けしている。
【０１３５】
図４に示すように、例えばＶＧＡ（ Video Graphics Array ）の映像フォーマットには、７９０〜８１０の水平画素数ｈｒが関連付けされ、５１５〜５３５の垂直走査線数ｖｒが関連付けされている。
【０１３６】
また、５２５Ｐ（６０Ｈｚ）の映像フォーマットには、８４８〜８６８の水平画素数ｈｒが関連付けされ、５１５〜５３５の垂直走査線数ｖｒが関連付けされている。
【０１３７】
これにより、ＭＣＵ４０は、ＨＤＭＩレシーバ１０から読み込んだ水平画素数ｈｒおよび垂直走査線数ｖｒ、ならびに図４の映像フォーマットテーブルに基づいて、ＤＶＤプレーヤ１から受信されたデジタル映像信号の映像フォーマットを判別する。
【０１３８】
そして、ＭＣＵ４０は、判別した映像フォーマットに基づいてデジタル映像処理回路２０の動作を制御する。
【０１３９】
（５）第１のブランキング画素数の正確な検出
ところで、上述のように、ＨＤＭＩレシーバ１０からデジタル映像処理回路２０に伝送される色差信号Ｕ／Ｖは、映像フォーマットに従う所定の周期で色差値Ｕと色差値Ｖとを交互に含む。
【０１４０】
色差処理時において、デジタル映像処理回路２０は、例えば受信されるデジタル映像信号の映像フォーマットが５２５Ｉ（６０Ｈｚ）および６２５Ｉ（５０Ｈｚ）以外の場合に、色差信号Ｕ／Ｖに含まれる値を、水平同期信号Ｈの立ち上がりを基準として画素ごとに（１クロックごとに）色差値Ｕおよび色差値Ｖとして交互に認識する。
【０１４１】
この色差信号Ｕ／Ｖの認識動作は、受信されるデジタル映像信号の映像フォーマットごとに予め設定されている。これにより、デジタル映像処理回路２０は、ＭＣＵ４０により判別された映像フォーマットに従って、予め設定された色差信号Ｕ／Ｖの認識動作を行う。
【０１４２】
ここで、第１のブランキング画素数ｈｄｅが映像フォーマットの規格に従わない場合に、本来的に色差値Ｕと認識されるべき値が色差値Ｖと認識され、本来的に色差値Ｖと認識されるべき値が色差値Ｕと認識される場合がある。このように、色差信号Ｕ／Ｖの認識動作に誤りが生じる場合がある。
【０１４３】
本実施の形態では、ＭＣＵ４０が第１のブランキング画素数ｈｄｅを正確に検出する。そして、ＭＣＵ４０は、正確に検出した第１のブランキング画素数ｈｄｅに基づいてデジタル映像処理回路２０の反転処理部２２を制御する。
【０１４４】
これにより、図１の色差処理部２１において色差信号Ｕ／Ｖの認識動作に誤りが生じる場合に、反転処理部２２が色差値Ｕおよび色差値Ｖに上述の反転処理を行う。
【０１４５】
ＭＣＵ４０は、第１のブランキング画素数ｈｄｅを２種類の方法により検出する。以下、第１のブランキング画素数ｈｄｅの検出方法について説明する。
【０１４６】
（６）第１のブランキング画素数の検出方法
（６−ａ）カウントにより検出する方法
デジタル映像処理回路２０は、ＨＤＭＩレシーバ１０から伝送される水平同期信号Ｈ、データイネーブル信号ＤＥおよびサンプリングクロック信号ＣＬＫに基づいて図２の第１のブランキング期間ＨＤＥにおけるクロック数をカウントする。
【０１４７】
このように、サンプリングクロック信号ＣＬＫをカウントすることにより得られる値が、上述のように第１のブランキング画素数ｈｄｅとしてデジタル映像処理回路２０のレジスタに格納される。
【０１４８】
そこで、ＭＣＵ４０は、デジタル映像処理回路２０のレジスタに格納された第１のブランキング画素数ｈｄｅを読み込むことにより、第１のブランキング画素数ｈｄｅを検出する。以下、このような第１のブランキング画素数ｈｄｅの検出を、カウント検出と呼ぶ。
【０１４９】
（６−ｂ）演算により検出する方法
図３に示したように、ＨＤＭＩレシーバ１０においては、内蔵のレジスタに水平画素数ｈｒ、有効水平画素数ｄｅｐおよび第２のブランキング画素数ｂｂが格納される。
【０１５０】
ここで、ＭＣＵ４０は、ＨＤＭＩレシーバ１０のレジスタに格納された水平画素数ｈｒ、有効水平画素数ｄｅｐおよび第２のブランキング画素数ｂｂを読み込む。
【０１５１】
ＭＣＵ４０は、読み込んだ水平画素数ｈｒから有効水平画素数ｄｅｐおよび第２のブランキング画素数ｂｂを減算する。それにより、ＭＣＵ４０は、この減算結果から第１のブランキング画素数ｈｄｅを検出することができる。以下、このような第１のブランキング画素数ｈｄｅの検出を、演算検出と呼ぶ。
【０１５２】
（６−ｃ）検出方法の使い分け
本実施の形態において、ＭＣＵ４０による第１のブランキング画素数ｈｄｅの検出は、映像フォーマットのフィールド周波数に応じて使い分けされる。
【０１５３】
具体的には、ＭＣＵ４０は、受信されるデジタル映像信号の映像フォーマットのフィールド周波数が５０Ｈｚである場合にカウント検出を行い、映像フォーマットのフィールド周波数が６０Ｈｚである場合に演算検出を行う。
【０１５４】
（７）第１のブランキング画素数の検出方法を使い分ける理由
カウント検出と演算検出とを使い分ける理由について説明する。
【０１５５】
（７−ａ）フィールド周波数が６０Ｈｚである場合に演算検出する理由
受信される映像フォーマットのフィールド周波数が６０Ｈｚである場合、フィールド周期は１６．７ｍｓである。したがって、この場合の垂直走査期間ＶＲは１６．７ｍｓとなる。
【０１５６】
一般に、デジタル信号受信装置１００の各構成要素の動作設定は、フィールドごとに更新される。これにより、本実施の形態においては、例えばＭＣＵ４０がデジタル映像処理回路２０のレジスタを読み込むタイミングの周期を１６ｍｓに設定する。以下、この読み込みタイミングの周期を読み込み周期と呼ぶ。
【０１５７】
映像フォーマットのフィールド周波数が６０Ｈｚである場合、ＭＣＵ４０がカウント検出を行うことにより以下の問題が生じる。
【０１５８】
図５は、ＭＣＵ４０の読み込み周期が映像フォーマットのフィールド周期とほぼ一致する場合と、ＭＣＵ４０の読み込み周期がフィールド周期と一致しない場合とを比較するための図である。
【０１５９】
図５（ａ）に、ＭＣＵ４０の読み込み周期が映像フォーマットのフィールド周波数とほぼ一致する場合の一例として、フィールド周期が１６．７ｍｓであるとき（フィールド周波数が６０Ｈｚであるとき）に読み込み周期が１６ｍｓである場合が示されている。
【０１６０】
図５（ａ）に示すように、垂直同期信号Ｖを含む所定期間に渡って垂直ブランキング期間ＶＢが存在する。
【０１６１】
ここで、本実施の形態に係るデジタル信号受信装置１００において、デジタル映像処理回路２０のレジスタには、第１のブランキング画素数ｈｄｅが８ビットで格納される。なお、垂直ブランキング期間ＶＢにおいて、デジタル映像処理回路２０のレジスタに格納される第１のブランキング画素数ｈｄｅの値は、８ビットのレジスタでカウント可能な最大値である２５５に保持される。
【０１６２】
ＭＣＵ４０の読み込み周期が映像フォーマットのフィールド周期とほぼ一致する場合、一旦読み込みタイミングＲＴ１が垂直ブランキング期間ＶＢに設定されると、その後の読み込みタイミングＲＴ２〜ＲＴ６も連続して垂直ブランキング期間ＶＢ内に設定される。
【０１６３】
この場合、上述のように、デジタル映像処理回路２０のレジスタに格納される第１のブランキング画素数ｈｄｅの値は常に２５５となる。これにより、ＭＣＵ４０は、第１のブランキング画素数ｈｄｅの正確な値を得ることができない。
【０１６４】
このように、映像フォーマットのフィールド周波数が６０Ｈｚである場合に読み込み周期が１６ｍｓに設定されていると、ＭＣＵ４０は第１のブランキング画素数ｈｄｅを正確に検出することができない。
【０１６５】
したがって、本実施の形態に係るデジタル信号受信装置１００において、映像フォーマットのフィールド周波数が６０Ｈｚである場合、ＭＣＵ４０はカウント検出を行わずに演算検出を行う。
【０１６６】
一方、図５（ｂ）に、ＭＣＵ４０の読み込み周期が映像フォーマットのフィールド周波数と一致しない場合の一例として、フィールド周期が２０ｍｓであるとき（フィールド周波数が５０Ｈｚであるとき）に読み込み周期が１６ｍｓである場合が示されている。
【０１６７】
上述のように、垂直同期信号Ｖを含む所定期間に渡って垂直ブランキング期間ＶＢが存在する。
【０１６８】
ＭＣＵ４０の読み込み周期が映像フォーマットのフィールド周期と一致しない場合、一旦読み込みタイミングＲＴ１が垂直ブランキング期間ＶＢに設定されても、その後の読み込みタイミングＲＴ２〜ＲＴ６が連続して垂直ブランキング期間ＶＢ内に設定されることはない。
【０１６９】
図５（ｂ）においては、読み込みタイミングＲＴ１，ＲＴ２が垂直ブランキング期間ＶＢに設定されているが、読み込みタイミングＲＴ３〜ＲＴ６は垂直ブランキング期間ＶＢ外に設定されている。
【０１７０】
その結果、ＭＣＵ４０は、垂直ブランキング期間ＶＢ外に設定される読み込みタイミングＲＴ３〜ＲＴ６においてデジタル映像処理回路２０のレジスタから第１のブランキング画素数ｈｄｅの正確な値を得ることができる。
【０１７１】
したがって、本実施の形態に係るデジタル信号受信装置１００において、映像フォーマットのフィールド周波数が５０Ｈｚである場合には、ＭＣＵ４０がカウント検出を行う。
【０１７２】
具体的には、ＭＣＵ４０は読み込みタイミングごとにデジタル映像処理回路２０から読み込んだ第１のブランキング画素数ｈｄｅの値を保持し、保持する値が３回連続して一致したときにその値を第１のブランキング画素数ｈｄｅとして確定することにより、正確な第１のブランキング画素数ｈｄｅの値を検出する。この詳細は後述する。
【０１７３】
（７−ｂ）フィールド周波数が５０Ｈｚである場合にカウント検出する理由
上記では、フィールド周波数が６０Ｈｚである場合、ＭＣＵ４０がカウント検出を行わず演算検出を行う理由を説明した。
【０１７４】
そこで、フィールド周波数が５０Ｈｚである場合にも、ＭＣＵ４０が演算検出を行うことにより第１のブランキング画素数ｈｄｅを検出することができれば、ＭＣＵ４０の動作が統一される。
【０１７５】
本実施の形態に係るデジタル信号受信装置１００において、図１のＨＤＭＩレシーバ１０のレジスタには、図３の水平画素数ｈｒが１３ビットで格納され、垂直走査線数ｖｒが１１ビットで格納される。また、有効水平画素数ｄｅｐが１２ビットで格納され、第２のブランキング画素数ｂｂが８ビットで格納される。
【０１７６】
これにより、映像フォーマットのフィールド周波数が５０Ｈｚである場合には、ＭＣＵ４０が演算検出を行うことにより以下の問題が生じる。
【０１７７】
図６は、図１のＨＤＭＩレシーバ１０のレジスタに格納される情報の一例を示す図である。
【０１７８】
図６に示すように、図１のＨＤＭＩレシーバ１０により例えば５２５Ｐ（６０Ｈｚ）の映像フォーマットのデジタル映像信号が受信される場合には、ＨＤＭＩレシーバ１０のレジスタに水平画素数ｈｒ、垂直走査線数ｖｒ、有効水平画素数ｄｅｐおよび第２のブランキング画素数ｂｂの値として、それぞれ８５８、５２５、７２０および１６が格納される。
【０１７９】
図６には、５２５Ｐ（６０Ｈｚ）の映像フォーマットの他、複数の映像フォーマットのデジタル映像信号が受信される場合の水平画素数ｈｒ、垂直走査線数ｖｒ、有効水平画素数ｄｅｐおよび第２のブランキング画素数ｂｂの値の一例が示されている。
【０１８０】
ここで、上述のように、本実施の形態では、ＨＤＭＩレシーバ１０のレジスタに第２のブランキング画素数ｂｂが８ビットで格納される。それにより、ＨＤＭＩレシーバ１０のレジスタに格納される第２のブランキング画素数ｂｂの値は最大２５５となる。
【０１８１】
しかし、フィールド周波数が５０Ｈｚの映像フォーマットにおいては、第２のブランキング画素数ｂｂの値が２５５を超える場合がある。この場合、ＨＤＭＩレシーバ１０のレジスタに格納される第２のブランキング画素数ｂｂの値は２５５となる。
【０１８２】
例えば、７５０Ｐ（５０Ｈｚ）、１１２５Ｉ（５０Ｈｚ）および１１２５Ｐ（５０Ｈｚ）の映像フォーマットでは、第２のブランキング画素数ｂｂの値がそれぞれ４４０、５２８および５２８と示されているが（図６太枠部分参照）、実際にレジスタに格納される値は全て２５５となる。
【０１８３】
上述のように、第１のブランキング画素数ｈｄｅを演算検出により得る場合、ＨＤＭＩレシーバ１０のレジスタに格納された第２のブランキング画素数ｂｂが誤った値であると、演算検出により得られる第１のブランキング画素数ｈｄｅを正確に検出することができない。
【０１８４】
したがって、本実施の形態に係るデジタル信号受信装置１００において、映像フォーマットのフィールド周波数が５０Ｈｚである場合、ＭＣＵ４０は演算検出を行わずにカウント検出を行う。
【０１８５】
（７−ｃ）第１のブランキング画素数の検出方法の他の例
上記のように、本実施の形態では、受信されるデジタル映像信号のフィールド周波数が６０Ｈｚである場合に、ＭＣＵ４０の読み込み周期がフィールド周期とほぼ等しく設定されるため、第１のブランキング画素数ｈｄｅを演算検出により検出する。
【０１８６】
したがって、ＭＣＵ４０の読み込み周期を６０Ｈｚおよび５０Ｈｚのフィールド周期と異なる値に設定することが可能ならば、フィールド周波数が６０Ｈｚである場合およびフィールド周波数が５０Ｈｚである場合に、ともに第１のブランキング画素数ｈｄｅをカウント検出により正確に検出することができる。
【０１８７】
一方、本実施の形態では、受信されるデジタル映像信号のフィールド周波数が５０Ｈｚである場合に、ＨＤＭＩレシーバ１０のレジスタに格納される第２のブランキング画素数ｂｂのビット数が８ビットに設定されているため、第１のブランキング画素数ｈｄｅをカウント検出により検出する。
【０１８８】
したがって、ＨＤＭＩレシーバ１０のレジスタに格納される第２のブランキング画素数ｂｂのビット数を８ビットよりも大きく（例えば、１０ビット）設定することが可能ならば、フィールド周波数が６０Ｈｚである場合およびフィールド周波数が５０Ｈｚである場合に、ともに第１のブランキング画素数ｈｄｅを演算検出により正確に検出することができる。
【０１８９】
（８）デジタル映像処理回路に伝送される色差値の配列
本実施の形態において、ＤＶＤプレーヤ１からのデジタル映像信号を受信するＨＤＭＩレシーバ１０のサンプリング周波数は２７ＭＨｚである。
【０１９０】
デジタル映像信号のサンプリングクロック信号の周波数は、５２５Ｉ（６０Ｈｚ）および６２５Ｉ（５０Ｈｚ）の映像フォーマットと他の映像フォーマットとで異なる。
【０１９１】
５２５Ｉ（６０Ｈｚ）および６２５Ｉ（５０Ｈｚ）の映像フォーマットにおいて、サンプリングクロック信号の周波数は１３．５ＭＨｚに設定される。
【０１９２】
これに対して、５２５Ｉ（６０Ｈｚ）および６２５Ｉ（５０Ｈｚ）以外の映像フォーマットにおいて、サンプリングクロック信号の周波数は２７ＭＨｚに設定される。
【０１９３】
５２５Ｉ（６０Ｈｚ）および６２５Ｉ（５０Ｈｚ）以外の映像フォーマットとしては、例えば図４に示すように、ＶＧＡ、７５０Ｐ（６０Ｈｚ）および１１２５Ｉ（６０Ｈｚ）等がある。
【０１９４】
したがって、デジタル映像処理回路２０に伝送される色差値Ｕおよび色差値Ｖの配列は、５２５Ｉ（６０Ｈｚ）および６２５Ｉ（５０Ｈｚ）の映像フォーマットと他の映像フォーマットとで異なる。
【０１９５】
（８−ａ）映像フォーマットが５２５Ｉ（６０Ｈｚ）および６２５Ｉ（５０Ｈｚ）以外である場合
映像フォーマットが５２５Ｉ（６０Ｈｚ）および６２５Ｉ（５０Ｈｚ）以外である場合、ＨＤＭＩレシーバ１０のサンプリング周波数とデジタル映像信号のサンプリングクロック信号の周波数とが一致している。
【０１９６】
これにより、ＨＤＭＩレシーバ１０からデジタル映像処理回路２０に伝送される色差値Ｕおよび色差値Ｖの配列は、ＨＤＭＩレシーバ１０で受信される色差値Ｕおよび色差値Ｖの配列と等しい。
【０１９７】
すなわち、デジタル映像処理回路２０には、１クロックごとに色差値Ｕおよび色差値Ｖが交互に伝送される。
【０１９８】
（８−ｂ）映像フォーマットが５２５Ｉ（６０Ｈｚ）および６２５Ｉ（５０Ｈｚ）である場合
映像フォーマットが５２５Ｉ（６０Ｈｚ）および６２５Ｉ（５０Ｈｚ）である場合、ＨＤＭＩレシーバ１０のサンプリング周波数は、デジタル映像信号のサンプリングクロック信号の周波数の２倍である。これにより、デジタル映像信号のサンプリングクロック信号の１クロックがＨＤＭＩレシーバ１０における２クロックに相当する。
【０１９９】
それにより、デジタル映像信号で１クロックごとに色差値Ｕおよび色差値Ｖが交互に伝送される場合、ＨＤＭＩレシーバ１０は受信した色差値Ｕおよび色差値Ｖを２クロックごとにデジタル映像処理回路２０へ伝送する。
【０２００】
すなわち、デジタル映像処理回路２０には、２クロックごとに色差値Ｕおよび色差値Ｖが交互に伝送される。
【０２０１】
（９）デジタル映像処理回路で認識される色差信号および色差信号の誤認識
上述のように、デジタル映像処理回路２０では、色差処理部２１が画素ごとに色差信号Ｕ／Ｖから色差値Ｕおよび色差値Ｖを順次認識する。
【０２０２】
この認識動作は、予め映像フォーマットごとに色差処理部２１に設定されている。色差処理部２１に設定された色差信号Ｕ／Ｖの認識動作および色差信号Ｕ／Ｖの誤認識について図７に基づき説明する。
【０２０３】
図７〜図９は、図１の色差処理部２１に設定された色差信号Ｕ／Ｖの認識動作および色差信号Ｕ／Ｖの誤認識を説明するための図である。
【０２０４】
（９−ａ）映像フォーマットが５２５Ｉ（６０Ｈｚ）および６２５Ｉ（５０Ｈｚ）以外である場合
図７（ａ）に基づいて映像フォーマットが５２５Ｉ（６０Ｈｚ）および６２５Ｉ（５０Ｈｚ）以外である場合の色差信号Ｕ／Ｖの認識動作を説明する。
【０２０５】
図７（ａ）では、デジタル映像処理回路２０に伝送される水平同期信号Ｈ、データイネーブル信号ＤＥおよび色差信号Ｕ／Ｖの一例が示されている。これらの信号は、５２５Ｉ（６０Ｈｚ）および６２５Ｉ（５０Ｈｚ）以外の映像フォーマットに従う。
【０２０６】
図７（ａ）に示すように、デジタル映像処理回路２０に水平同期信号Ｈおよびおよびデータイネーブル信号ＤＥが入力される。水平同期信号Ｈおよびデータイネーブル信号ＤＥが映像フォーマットの規格に正確に従う場合、第１のブランキング期間ＨＤＥもその映像フォーマットの規格に従う。
【０２０７】
本例において、規格に従う第１のブランキング期間ＨＤＥを第１の標準ブランキング期間ＨＤＥ０と呼ぶ。５２５Ｉ（６０Ｈｚ）および６２５Ｉ（５０Ｈｚ）以外の映像フォーマットにおいて、第１の標準ブランキング期間ＨＤＥ０のクロック数、すなわち第１の標準ブランキング画素数ｈｄｅ０は偶数に設定されている。
【０２０８】
また、デジタル映像処理回路２０に色差信号Ｕ／Ｖが入力される。ここでは、色差信号Ｕ／Ｖは、１クロックごとに値“ｕ０”，“ｖ０”，…“ｕ８”，“ｖ８”を順に含む。なお、色差信号Ｕ／Ｖは、第１の標準ブランキング期間ＨＤＥ０に関連情報の値“ｖａｌ”を含む。
【０２０９】
色差信号Ｕ／Ｖの値“ｕ０”，…“ｕ８”は本来的には色差値Ｕを表し、色差信号Ｕ／Ｖの値“ｖ０”，…“ｖ８”は本来的には色差値Ｖを表す。
【０２１０】
図７（ａ）の色差信号Ｕ／Ｖの下段に、色差処理部２１に予め設定された色差信号Ｕ／Ｖの認識順序が示されている。
【０２１１】
この認識順序によれば、色差処理部２１は、映像フォーマットが５２５Ｉ（６０Ｈｚ）および６２５Ｉ（５０Ｈｚ）以外である場合に、水平同期信号Ｈの立ち上がりを基準として色差信号Ｕ／Ｖの奇数番目の値を色差値Ｕとして認識し、偶数番目の値を色差値Ｖとして認識する。
【０２１２】
これにより、図７（ａ）の例では、水平同期信号Ｈの立ち上がりから奇数番目に配列される色差信号Ｕ／Ｖの値“ｖａｌ”，“ｕ０”，…“ｕ８”が色差値Ｕとして認識される。また、水平同期信号Ｈの立ち上がりから偶数番目に配列される色差信号Ｕ／Ｖの値“ｖａｌ”，“ｖ０”，…“ｖ８”が色差値Ｖとして認識される。
【０２１３】
図７（ｂ）に基づいて映像フォーマットが５２５Ｉ（６０Ｈｚ）および６２５Ｉ（５０Ｈｚ）以外である場合の色差信号Ｕ／Ｖの認識動作を説明する。
【０２１４】
図７（ｂ）においても、図７（ａ）と同様に、水平同期信号Ｈ、データイネーブル信号ＤＥおよび色差信号Ｕ／Ｖの一例が示されている。ここで、図７（ｂ）の例では、データイネーブル信号ＤＥおよび色差信号Ｕ／Ｖが映像フォーマットの規格に従わない。
【０２１５】
具体的には、図７（ｂ）のデータイネーブル信号ＤＥの立ち上がりは、映像フォーマットの規格に従う図７（ａ）のデータイネーブル信号ＤＥの立ち上がりに比べて１クロック分遅れている。これに伴い、色差信号Ｕ／Ｖの値“ｖａｌ”が１クロック分遅れるとともに、値“ｕ０”，“ｖ０”，…“ｕ８”，“ｖ８”も１クロック分遅れる。
【０２１６】
これにより、第１のブランキング期間ＨＤＥが、第１の標準ブランキング期間ＨＤＥ０よりも１クロック分長くなる。それにより、第１のブランキング期間ＨＤＥのクロック数、すなわち第１のブランキング画素数ｈｄｅが奇数となる。図７（ｂ）では、このときの第１のブランキング期間ＨＤＥに符号ＨＤＥ１を付す。
【０２１７】
ここで、図７（ａ）の例と同様に、色差処理部２１は、入力されるデータイネーブル信号ＤＥおよび色差信号Ｕ／Ｖに関わらず、映像フォーマットが５２５Ｉ（６０Ｈｚ）および６２５Ｉ（５０Ｈｚ）以外である場合に予め設定された認識順序に従って色差信号Ｕ／Ｖの認識動作を行う。
【０２１８】
その結果、図７（ｂ）の例では、水平同期信号Ｈの立ち上がりから奇数番目に配列される色差信号Ｕ／Ｖの値“ｖａｌ”，“ｖ０”，…“ｖ８”が色差値Ｕとして誤って認識される。また、水平同期信号Ｈの立ち上がりから偶数番目に配列される色差信号Ｕ／Ｖの値“ｖａｌ”，“ｕ０”，…“ｕ８”が色差値Ｖとして誤って認識される。
【０２１９】
これにより、図１の反転処理部２２は、デジタル映像信号の映像フォーマットが５２５Ｉ（６０Ｈｚ）および６２５Ｉ（５０Ｈｚ）以外であり、かつ第１のブランキング期間ＨＤＥの値が奇数である場合に、反転処理を行い、色差処理部２１による色差信号Ｕ／Ｖの認識を反転させる。
【０２２０】
すなわち、反転処理部２２は、図７（ｂ）において、色差値Ｕとして誤認された色差信号Ｕ／Ｖの値“ｖａｌ”，“ｖ０”，…“ｖ８”を色差値Ｖとして再認識する。また、色差値Ｖとして誤認された色差信号Ｕ／Ｖの値“ｖａｌ”，“ｕ０”，…“ｕ８”を色差値Ｕとして再認識する。
【０２２１】
（９−ｂ）映像フォーマットが５２５Ｉ（６０Ｈｚ）である場合
上述のように、映像フォーマットが５２５Ｉ（６０Ｈｚ）および６２５Ｉ（５０Ｈｚ）である場合、デジタル映像信号のサンプリングクロック信号の１クロックがＨＤＭＩレシーバ１０における２クロックに相当する。それにより、デジタル映像処理回路２０には、色差値Ｕおよび色差値Ｖが２クロックごとに伝送される。
【０２２２】
これにより、色差処理部２１による１クロックごとの色差信号Ｕ／Ｖの認識動作は、映像フォーマットが５２５Ｉ（６０Ｈｚ）および６２５Ｉ（５０Ｈｚ）以外である場合と異なる。
【０２２３】
（９−ｂ−１）色差信号の認識動作
図８（ａ）に基づいて映像フォーマットが５２５Ｉ（６０Ｈｚ）である場合の色差信号Ｕ／Ｖの認識動作を説明する。
【０２２４】
図８（ａ）に、デジタル映像処理回路２０に伝送される水平同期信号Ｈ、データイネーブル信号ＤＥおよび色差信号Ｕ／Ｖの一例が示されている。これらの信号は、５２５Ｉ（６０Ｈｚ）の映像フォーマットに従う。
【０２２５】
図８（ａ）に示すように、デジタル映像処理回路２０に水平同期信号Ｈおよびデータイネーブル信号ＤＥが入力される。水平同期信号Ｈおよびデータイネーブル信号ＤＥが５２５Ｉ（６０Ｈｚ）の映像フォーマットの規格に従う場合、第１のブランキング期間ＨＤＥは２３８クロックである。
【０２２６】
本例においても、規格に従う第１のブランキング期間ＨＤＥを第１の標準ブランキング期間ＨＤＥ０と呼ぶ。
【０２２７】
また、デジタル映像処理回路２０に色差信号Ｕ／Ｖが入力される。ここでは、色差信号Ｕ／Ｖは、１クロックごとに値“ｕ０”，“ｕ０”，“ｖ０”，“ｖ０”，…“ｖ４”，“ｖ４”，“ｕ６”，“ｕ６”を順に含む。
【０２２８】
すなわち、本例では、色差信号Ｕ／Ｖの１つの値が、２クロックに渡って連続してデジタル映像処理回路２０に入力される。
【０２２９】
なお、本例においても、色差信号Ｕ／Ｖの値“ｕ０”，…“ｕ６”は本来的に色差値Ｕを表し、色差信号Ｕ／Ｖの値“ｖ０”，…“ｖ４”は本来的に色差値Ｖを表す。
【０２３０】
図８（ａ）の色差信号Ｕ／Ｖの下段に、色差処理部２１に予め設定された色差信号Ｕ／Ｖの認識順序が示されている。
【０２３１】
この認識順序によれば、色差処理部２１は、映像フォーマットが５２５Ｉ（６０Ｈｚ）である場合に、ｎを自然数として、水平同期信号Ｈの立ち上がりを基準とした場合の色差信号Ｕ／Ｖの（４ｎ−３）番目の値、および（４ｎ−２）番目の値を色差値Ｖとして認識する。
【０２３２】
また、色差処理部２１は、ｎを自然数として、色差信号Ｕ／Ｖの（４ｎ−１）番目の値、および４ｎ番目の値を色差値Ｕとして認識する。
【０２３３】
この認識動作は、データイネーブル信号ＤＥの立ち上がりとともに入力される色差信号Ｕ／Ｖの値に対して行われる。その後、色差処理部２１は、２クロックごとに色差信号Ｕ／Ｖの認識を行う。
【０２３４】
具体的には、色差処理部２１は、データイネーブル信号ＤＥの立ち上がりとともに入力される色差信号Ｕ／Ｖの値を予め定められた認識順序に基づいて色差値Ｕとして認識した場合に、その１クロック後の色差信号Ｕ／Ｖの値を予め定められた認識順序にかかわらず色差値Ｕとして認識する。
【０２３５】
そして、色差処理部２１は、さらにその１クロック後の色差信号Ｕ／Ｖの値を、予め定められた認識順序に基づいて色差値Ｖとして認識した場合に、その１クロック後の色差信号Ｕ／Ｖの値を予め定められた認識順序にかかわらず色差値Ｖとして認識する。
【０２３６】
ここで、第１の標準ブランキング期間ＨＤＥ０、すなわち第１の標準ブランキング画素数ｈｄｅ０である２３８を４で除算すると、その余りは２となる。
【０２３７】
したがって、データイネーブル信号ＤＥの立ち上がりとともに入力される色差信号Ｕ／Ｖの値“ｕ０”は、色差値Ｕとして正確に認識される。これにより、その１クロック後の色差信号Ｕ／Ｖの値“ｕ０”も、色差値Ｕとして正確に認識される。
【０２３８】
そして、さらにその１クロック後の色差信号Ｕ／Ｖの値“ｖ０”は、色差値Ｖとして正確に認識される。これにより、その１クロック後の色差信号Ｕ／Ｖの値“ｖ０”も、色差値Ｖとして正確に認識される。
【０２３９】
このように、色差処理部２１では、デジタル映像信号のサンプリングクロック信号、および規格で定められた第１の標準ブランキング画素数ｈｄｅ０の値（２３８）を考慮して、予め色差値Ｕおよび色差値Ｖの認識順序が設定されている。
【０２４０】
その結果、色差処理部２１は、５２５Ｉ（６０Ｈｚ）の映像フォーマットに従う色差信号Ｕ／Ｖが入力される際に、正確に色差値Ｕおよび色差値Ｖの認識を行うことができる。この場合、図１の反転処理部２２は反転処理を行わない。
【０２４１】
なお、第１のブランキング画素数ｈｄｅが５２５Ｉ（６０Ｈｚ）の映像フォーマットに従わない場合であっても、第１のブランキング画素数ｈｄｅを４で除算した結果、その余りが２であるときには、上記と同様に、色差処理部２１により正確に色差値Ｕおよび色差値Ｖの認識が行われる。したがって、この場合にも、図１の反転処理部２２は反転処理を行わない。
【０２４２】
（９−ｂ−２）映像フォーマットに従わない色差信号の認識動作（その１）
図８（ｂ）に基づいて５２５Ｉ（６０Ｈｚ）の映像フォーマットに従わない場合の色差信号Ｕ／Ｖの認識動作の一例を説明する。
【０２４３】
図８（ｂ）においても、図８（ａ）と同様に、水平同期信号Ｈ、データイネーブル信号ＤＥおよび色差信号Ｕ／Ｖの一例が示されている。ここで、図８（ｂ）の例では、データイネーブル信号ＤＥおよび色差信号Ｕ／Ｖが映像フォーマットの規格に従わない。
【０２４４】
具体的には、図８（ｂ）のデータイネーブル信号ＤＥの立ち上がりは、映像フォーマットの規格に従う図８（ａ）のデータイネーブル信号ＤＥの立ち上がりに比べて１クロック分遅れている。すなわち、本例における第１のブランキング画素数ｈｄｅを４で除算すると、その余りは３となる。図８（ｂ）では、このときの第１のブランキング期間ＨＤＥに符号ＨＤＥ１を付す。
【０２４５】
これに伴い、色差信号Ｕ／Ｖの値“ｖａｌ”が１クロック分遅れるとともに、値“ｕ０”，“ｕ０”，“ｖ０”，“ｖ０”，…“ｕ４”，“ｕ４”，“ｖ６”，“ｖ６”も１クロック分遅れる。
【０２４６】
ここで、図８（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０２４７】
その結果、図８（ｂ）の例では、データイネーブル信号ＤＥの立ち上がりとともに入力される色差信号Ｕ／Ｖの値“ｕ０”が、色差値Ｕとして正確に認識される。これにより、その１クロック後の色差信号Ｕ／Ｖの値“ｕ０”も、色差値Ｕとして正確に認識される。
【０２４８】
そして、さらにその１クロック後の色差信号Ｕ／Ｖの値“ｖ０”は、色差値Ｖとして正確に認識される。これにより、その１クロック後の色差信号Ｕ／Ｖの値“ｖ０”も、色差値Ｖとして正確に認識される。
【０２４９】
したがって、第１のブランキング画素数ｈｄｅが５２５Ｉ（６０Ｈｚ）の映像フォーマットに従わない場合であっても、第１のブランキング画素数ｈｄｅを４で除算した結果、その余りが３であるときには、図１の反転処理部２２は反転処理を行わない。
【０２５０】
（９−ｂ−３）映像フォーマットに従わない色差信号の認識動作（その２）
図８（ｃ）に基づいて５２５Ｉ（６０Ｈｚ）の映像フォーマットに従わない場合の色差信号Ｕ／Ｖの認識動作の他の例を説明する。
【０２５１】
図８（ｃ）においても、図８（ａ）と同様に、水平同期信号Ｈ、データイネーブル信号ＤＥおよび色差信号Ｕ／Ｖの一例が示されている。ここで、図８（ｃ）の例では、データイネーブル信号ＤＥおよび色差信号Ｕ／Ｖが映像フォーマットの規格に従わない。
【０２５２】
具体的には、図８（ｃ）のデータイネーブル信号ＤＥの立ち上がりは、映像フォーマットの規格に従う図８（ａ）のデータイネーブル信号ＤＥの立ち上がりに比べて２クロック分遅れている。すなわち、本例における第１のブランキング画素数ｈｄｅを４で除算すると、その余りは０となる。図８（ｃ）では、このときの第１のブランキング期間ＨＤＥに符号ＨＤＥ２を付す。
【０２５３】
これに伴い、色差信号Ｕ／Ｖの値“ｖａｌ”が２クロック分遅れるとともに、値“ｕ０”，“ｕ０”，“ｖ０”，“ｖ０”，…“ｕ４”，“ｕ４”，“ｖ６”，“ｖ６”も２クロック分遅れる。
【０２５４】
ここで、図８（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０２５５】
その結果、図８（ｃ）の例では、データイネーブル信号ＤＥの立ち上がりとともに入力される色差信号Ｕ／Ｖの値“ｕ０”が、色差値Ｖとして誤って認識される。これにより、その１クロック後の色差信号Ｕ／Ｖの値“ｕ０”も、色差値Ｖとして誤って認識される。
【０２５６】
そして、さらにその１クロック後の色差信号Ｕ／Ｖの値“ｖ０”は、色差値Ｕとして誤って認識される。これにより、その１クロック後の色差信号Ｕ／Ｖの値“ｖ０”も、色差値Ｕとして誤って認識される。
【０２５７】
図１の反転処理部２２は、第１のブランキング画素数ｈｄｅが５２５Ｉ（６０Ｈｚ）の映像フォーマットに従わない場合で、かつ第１のブランキング画素数ｈｄｅを４で除算した結果、その余りが０であるときに、反転処理を行い、色差処理部２１による色差信号Ｕ／Ｖの認識を反転させる。それにより、正確に色差値Ｕおよび色差値Ｖの認識が行われる。
【０２５８】
（９−ｂ−４）映像フォーマットに従わない色差信号の認識動作（その３）
図８（ｄ）に基づいて５２５Ｉ（６０Ｈｚ）の映像フォーマットに従わない場合の色差信号Ｕ／Ｖの認識動作のさらに他の例を説明する。
【０２５９】
図８（ｄ）においても、図８（ａ）と同様に、水平同期信号Ｈ、データイネーブル信号ＤＥおよび色差信号Ｕ／Ｖの一例が示されている。ここで、図８（ｄ）の例では、データイネーブル信号ＤＥおよび色差信号Ｕ／Ｖが映像フォーマットの規格に従わない。
【０２６０】
具体的には、図８（ａ）のデータイネーブル信号ＤＥの立ち上がりは、映像フォーマットの規格に従う図８（ａ）のデータイネーブル信号ＤＥの立ち上がりに比べて３クロック分遅れている。すなわち、本例における第１のブランキング画素数ｈｄｅを４で除算すると、その余りは１となる。図８（ｄ）では、このときの第１のブランキング期間ＨＤＥに符号ＨＤＥ３を付す。
【０２６１】
これに伴い、色差信号Ｕ／Ｖの値“ｖａｌ”が３クロック分遅れるとともに、値“ｕ０”，“ｕ０”，“ｖ０”，“ｖ０”，…“ｕ４”，“ｕ４”，“ｖ６”，“ｖ６”も３クロック分遅れる。
【０２６２】
ここで、図８（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０２６３】
その結果、図８（ｄ）の例では、データイネーブル信号ＤＥの立ち上がりとともに入力される色差信号Ｕ／Ｖの値“ｕ０”が、色差値Ｖとして誤って認識される。これにより、その１クロック後の色差信号Ｕ／Ｖの値“ｕ０”も、色差値Ｖとして誤って認識される。
【０２６４】
そして、さらにその１クロック後の色差信号Ｕ／Ｖの値“ｖ０”は、色差値Ｕとして誤って認識される。これにより、その１クロック後の色差信号Ｕ／Ｖの値“ｖ０”も、色差値Ｕとして誤って認識される。
【０２６５】
図１の反転処理部２２は、第１のブランキング画素数ｈｄｅが５２５Ｉ（６０Ｈｚ）の映像フォーマットに従わない場合で、かつ第１のブランキング画素数ｈｄｅを４で除算した結果、その余りが１であるときに、反転処理を行い、色差処理部２１による色差信号Ｕ／Ｖの認識を反転させる。それにより、正確に色差値Ｕおよび色差値Ｖの認識が行われる。
【０２６６】
（９−ｃ）映像フォーマットが６２５Ｉ（５０Ｈｚ）である場合
（９−ｃ−１）色差信号の認識動作
図９（ａ）に基づいて映像フォーマットが６２５Ｉ（５０Ｈｚ）である場合の色差信号Ｕ／Ｖの認識動作を説明する。
【０２６７】
図９（ａ）に、デジタル映像処理回路２０に伝送される水平同期信号Ｈ、データイネーブル信号ＤＥおよび色差信号Ｕ／Ｖの一例が示されている。これらの信号は、６２５Ｉ（５０Ｈｚ）の映像フォーマットに従う。
【０２６８】
図９（ａ）に示すように、デジタル映像処理回路２０に水平同期信号Ｈおよびおよびデータイネーブル信号ＤＥが入力される。水平同期信号Ｈおよびデータイネーブル信号ＤＥが６２５Ｉ（５０Ｈｚ）の映像フォーマットの規格に従う場合、第１のブランキング期間ＨＤＥは２６４クロックである。
【０２６９】
本例においても、規格に従う第１のブランキング期間ＨＤＥを第１の標準ブランキング期間ＨＤＥ０と呼ぶ。
【０２７０】
また、デジタル映像処理回路２０に色差信号Ｕ／Ｖが入力される。ここでは、色差信号Ｕ／Ｖは、１クロックごとに値“ｕ０”，“ｕ０”，“ｖ０”，“ｖ０”，…“ｖ４”，“ｖ４”，“ｕ６”，“ｕ６”，“ｖ６”を順に含む。
【０２７１】
すなわち、本例では、色差信号Ｕ／Ｖの１つの値が、２クロックに渡って連続してデジタル映像処理回路２０に入力される。
【０２７２】
なお、本例においても、色差信号Ｕ／Ｖの値“ｕ０”，…“ｕ６”は本来的に色差値Ｕを表し、色差信号Ｕ／Ｖの値“ｖ０”，…“ｖ６”は本来的に色差値Ｖを表す。
【０２７３】
図９（ａ）の色差信号Ｕ／Ｖの下段に、色差処理部２１に予め設定された色差信号Ｕ／Ｖの認識順序が示されている。
【０２７４】
この認識順序によれば、色差処理部２１は、映像フォーマットが６２５Ｉ（５０Ｈｚ）である場合に、ｎを自然数として、水平同期信号Ｈの立ち上がりを基準とした場合の色差信号Ｕ／Ｖの（４ｎ−３）番目の値、および（４ｎ−２）番目の値を色差値Ｕとして認識する。
【０２７５】
また、色差処理部２１は、ｎを自然数として、色差信号Ｕ／Ｖの（４ｎ−１）番目の値、および４ｎ番目の値を色差値Ｖとして認識する。
【０２７６】
この認識動作は、データイネーブル信号ＤＥの立ち上がりとともに入力される色差信号Ｕ／Ｖの値に対して行われる。その後、色差処理部２１は、２クロックごとに色差信号Ｕ／Ｖの認識を行う。この２ブロックごとの色差信号Ｕ／Ｖの認識動作は、映像フォーマットが５２５Ｉ（６０Ｈｚ）のときの色差信号Ｕ／Ｖの認識動作と同じである。
【０２７７】
ここで、第１の標準ブランキング期間ＨＤＥ０、すなわち第１の標準ブランキング画素数ｈｄｅ０である２６４を４で除算すると、その余りは０となる。
【０２７８】
したがって、データイネーブル信号ＤＥの立ち上がりとともに入力される色差信号Ｕ／Ｖの値“ｕ０”は、色差値Ｕとして正確に認識される。これにより、その１クロック後の色差信号Ｕ／Ｖの値“ｕ０”も、色差値Ｕとして正確に認識される。
【０２７９】
そして、さらにその１クロック後の色差信号Ｕ／Ｖの値“ｖ０”は、色差値Ｖとして正確に認識される。これにより、その１クロック後の色差信号Ｕ／Ｖの値“ｖ０”も、色差値Ｖとして正確に認識される。
【０２８０】
このように、色差処理部２１においては、本来的に色差値Ｕと認識されるべき色差信号Ｕ／Ｖの値“ｕ０”，…“ｕ６”が色差値Ｕと認識され、本来的に色差値Ｖと認識されるべき色差信号Ｕ／Ｖの値“ｖ０”，…“ｖ４”が色差値Ｖと認識される。
【０２８１】
その結果、色差処理部２１は、６２５Ｉ（５０Ｈｚ）の映像フォーマットに従う色差信号Ｕ／Ｖが入力される際に、正確に色差値Ｕおよび色差値Ｖの認識を行うことができる。この場合、図１の反転処理部２２は反転処理を行わない。
【０２８２】
なお、第１のブランキング画素数ｈｄｅが６２５Ｉ（５０Ｈｚ）の映像フォーマットに従わない場合であっても、第１のブランキング画素数ｈｄｅを４で除算した結果、その余りが０であるときには、上記と同様に、色差処理部２１により正確に色差値Ｕおよび色差値Ｖの認識が行われる。したがって、この場合にも、図１の反転処理部２２は反転処理を行わない。
【０２８３】
（９−ｃ−２）映像フォーマットに従わない色差信号の認識動作（その１）
図９（ｂ）に基づいて６２５Ｉ（５０Ｈｚ）の映像フォーマットに従わない場合の色差信号Ｕ／Ｖの認識動作の一例を説明する。
【０２８４】
図９（ｂ）においても、図９（ａ）と同様に、水平同期信号Ｈ、データイネーブル信号ＤＥおよび色差信号Ｕ／Ｖの一例が示されている。ここで、図９（ｂ）の例では、データイネーブル信号ＤＥおよび色差信号Ｕ／Ｖが映像フォーマットの規格に従わない。
【０２８５】
具体的には、図９（ｂ）のデータイネーブル信号ＤＥの立ち上がりは、映像フォーマットの規格に従う図９（ａ）のデータイネーブル信号ＤＥの立ち上がりに比べて１クロック分遅れている。すなわち、本例における第１のブランキング画素数ｈｄｅを４で除算すると、その余りは１となる。図９（ｂ）では、このときの第１のブランキング期間ＨＤＥに符号ＨＤＥ１を付す。
【０２８６】
これに伴い、色差信号Ｕ／Ｖの値“ｖａｌ”が１クロック分遅れるとともに、値“ｕ０”，“ｕ０”，“ｖ０”，“ｖ０”，…“ｕ４”，“ｕ４”，“ｖ６”，“ｖ６”も１クロック分遅れる。
【０２８７】
ここで、図９（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０２８８】
その結果、図９（ｂ）の例では、データイネーブル信号ＤＥの立ち上がりとともに入力される色差信号Ｕ／Ｖの値“ｕ０”が、色差値Ｕとして正確に認識される。これにより、その１クロック後の色差信号Ｕ／Ｖの値“ｕ０”も、色差値Ｕとして正確に認識される。
【０２８９】
そして、さらにその１クロック後の色差信号Ｕ／Ｖの値“ｖ０”は、色差値Ｖとして正確に認識される。これにより、その１クロック後の色差信号Ｕ／Ｖの値“ｖ０”も、色差値Ｖとして正確に認識される。
【０２９０】
したがって、第１のブランキング画素数ｈｄｅが６２５Ｉ（５０Ｈｚ）の映像フォーマットに従わない場合であっても、第１のブランキング画素数ｈｄｅを４で除算した結果、その余りが１であるときには、図１の反転処理部２２は反転処理を行わない。
【０２９１】
（９−ｃ−３）映像フォーマットに従わない色差信号の認識動作（その２）
図９（ｃ）に基づいて６２５Ｉ（５０Ｈｚ）の映像フォーマットに従わない場合の色差信号Ｕ／Ｖの認識動作の他の例を説明する。
【０２９２】
図９（ｃ）においても、図９（ａ）と同様に、水平同期信号Ｈ、データイネーブル信号ＤＥおよび色差信号Ｕ／Ｖの一例が示されている。ここで、図９（ｃ）の例では、データイネーブル信号ＤＥおよび色差信号Ｕ／Ｖが映像フォーマットの規格に従わない。
【０２９３】
具体的には、図９（ｃ）のデータイネーブル信号ＤＥの立ち上がりは、映像フォーマットの規格に従う図９（ａ）のデータイネーブル信号ＤＥの立ち上がりに比べて２クロック分遅れている。すなわち、本例における第１のブランキング画素数ｈｄｅを４で除算すると、その余りは２となる。図９（ｃ）では、このときの第１のブランキング期間ＨＤＥに符号ＨＤＥ２を付す。
【０２９４】
これに伴い、色差信号Ｕ／Ｖの値“ｖａｌ”が２クロック分遅れるとともに、値“ｕ０”，“ｕ０”，“ｖ０”，“ｖ０”，…“ｕ４”，“ｕ４”，“ｖ６”，“ｖ６”も２クロック分遅れる。
【０２９５】
ここで、図９（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０２９６】
その結果、図９（ｃ）の例では、データイネーブル信号ＤＥの立ち上がりとともに入力される色差信号Ｕ／Ｖの値“ｕ０”が、色差値Ｖとして誤って認識される。これにより、その１クロック後の色差信号Ｕ／Ｖの値“ｕ０”も、色差値Ｖとして誤って認識される。
【０２９７】
そして、さらにその１クロック後の色差信号Ｕ／Ｖの値“ｖ０”は、色差値Ｕとして誤って認識される。これにより、その１クロック後の色差信号Ｕ／Ｖの値“ｖ０”も、色差値Ｕとして誤って認識される。
【０２９８】
図１の反転処理部２２は、第１のブランキング画素数ｈｄｅが６２５Ｉ（５０Ｈｚ）の映像フォーマットに従わない場合で、かつ第１のブランキング画素数ｈｄｅを４で除算した結果、その余りが２であるときに、反転処理を行い、色差処理部２１による色差信号Ｕ／Ｖの認識を反転させる。それにより、正確に色差値Ｕおよび色差値Ｖの認識が行われる。
【０２９９】
（９−ｃ−４）映像フォーマットに従わない色差信号の認識動作（その３）
図９（ｄ）に基づいて６２５Ｉ（５０Ｈｚ）の映像フォーマットに従わない場合の色差信号Ｕ／Ｖの認識動作のさらに他の例を説明する。
【０３００】
図９（ｄ）においても、図９（ａ）と同様に、水平同期信号Ｈ、データイネーブル信号ＤＥおよび色差信号Ｕ／Ｖの一例が示されている。ここで、図９（ｄ）の例では、データイネーブル信号ＤＥおよび色差信号Ｕ／Ｖが映像フォーマットの規格に従わない。
【０３０１】
具体的には、図９（ｄ）のデータイネーブル信号ＤＥの立ち上がりは、映像フォーマットの規格に従う図９（ａ）のデータイネーブル信号ＤＥの立ち上がりに比べて３クロック分遅れている。すなわち、本例における第１のブランキング画素数ｈｄｅを４で除算すると、その余りは３となる。図８（ｄ）では、このときの第１のブランキング期間ＨＤＥに符号ＨＤＥ３を付す。
【０３０２】
これに伴い、色差信号Ｕ／Ｖの値“ｖａｌ”が３クロック分遅れるとともに、値“ｕ０”，“ｕ０”，“ｖ０”，“ｖ０”，…“ｕ４”，“ｕ４”，“ｖ６”，“ｖ６”も３クロック分遅れる。
【０３０３】
ここで、図９（ａ）の例と同様に、色差処理部２１は、入力されるデータイネーブル信号ＤＥおよび色差信号Ｕ／Ｖに関わらず、予め設定された認識順序に基づいて２クロックごとに色差信号Ｕ／Ｖの認識を行う。
【０３０４】
その結果、図９（ｄ）の例では、データイネーブル信号ＤＥの立ち上がりとともに入力される色差信号Ｕ／Ｖの値“ｕ０”が、色差値Ｖとして誤って認識される。これにより、その１クロック後の色差信号Ｕ／Ｖの値“ｕ０”も、色差値Ｖとして誤って認識される。
【０３０５】
そして、さらにその１クロック後の色差信号Ｕ／Ｖの値“ｖ０”は、色差値Ｕとして誤って認識される。これにより、その１クロック後の色差信号Ｕ／Ｖの値“ｖ０”も、色差値Ｕとして誤って認識される。
【０３０６】
図１の反転処理部２２は、第１のブランキング画素数ｈｄｅが６２５Ｉ（５０Ｈｚ）の映像フォーマットに従わない場合で、かつ第１のブランキング画素数ｈｄｅを４で除算した結果、その余りが３であるときに、反転処理を行い、色差処理部２１による色差信号Ｕ／Ｖの認識を反転させる。それにより、正確に色差値Ｕおよび色差値Ｖの認識が行われる。
【０３０７】
（１０）反転処理部による反転処理の具体例
図１０および図１１は、図１の反転処理部２２による反転処理の具体例を説明するための図である。
【０３０８】
図１０に、１０８０Ｉ（６０Ｈｚ）の映像フォーマットの規格に従う水平画素数ｈｒ、有効水平画素数ｄｅｐ、第２のブランキング画素数ｂｂおよび第１のブランキング画素数ｈｄｅの値と、その規格に従わない具体例に係る各値とが示されている。
【０３０９】
１０８０Ｉ（６０Ｈｚ）の映像フォーマットの規格において、水平画素数ｈｒは２２００と定められ、有効水平画素数ｄｅｐは１９２０と定められ、第２のブランキング画素数ｂｂは８８と定められ、第１の標準ブランキング画素数ｈｄｅ０は１９２と定められている。
【０３１０】
これに対して、本具体例の水平画素数ｈｒは２２００であり、有効水平画素数ｄｅｐは１９２０であり、第２のブランキング画素数ｂｂは８７であり、第１のブランキング画素数ｈｄｅ１は１９３である。
【０３１１】
このように、本具体例の第２のブランキング画素数ｂｂおよび第１のブランキング画素数ｈｄｅ１の値はそれぞれ規格で定められる値から１ずれている。
【０３１２】
図１１に、本具体例の水平同期信号Ｈ、データイネーブル信号ＤＥおよび色差信号Ｕ／Ｖのタイミング図が示されている。図１１において、色差信号Ｕ／Ｖの値“ｕ”は本来的に色差値Ｕを示し、色差信号Ｕ／Ｖの値“ｖ”は本来的に色差値Ｖを示す。
【０３１３】
上述のように、本例の第１のブランキング画素数ｈｄｅ１の値は、第１の標準ブランキング画素数ｈｄｅ０よりも１つ大きい。それにより、図１１のタイミング図では、データイネーブル信号ＤＥの立ち上がりが、規格に従うタイミングから１クロック分遅れている。
【０３１４】
図１１の色差信号Ｕ／Ｖの下段に、色差処理部２１に予め設定された色差信号Ｕ／Ｖの認識順序が示されている。上述のように、映像フォーマットが５２５Ｉ（６０Ｈｚ）および６２５Ｉ（５０Ｈｚ）以外である場合、色差処理部２１は水平同期信号Ｈの立ち上がりを基準として色差信号Ｕ／Ｖの奇数番目の値を色差値Ｕとして認識し、偶数番目の値は色差値Ｖとして認識する。
【０３１５】
これにより、図１１の例では、水平同期信号Ｈの立ち上がりから奇数番目に配列される色差信号Ｕ／Ｖの値“ｖａｌ”，“ｖ”が色差値Ｕとして認識される。また、水平同期信号Ｈの立ち上がりから偶数番目に配列される色差信号Ｕ／Ｖの値“ｖａｌ”，“ｕ”が色差値Ｖとして認識される。
【０３１６】
その後、色差処理部２１により一度認識された色差値Ｕおよび色差値Ｖの判断が反転処理部２２により反転される。図１１の色差信号Ｕ／Ｖの認識順序を示す図の下段に、色差信号Ｕ／Ｖの認識が反転された様子が示されている。
【０３１７】
このように、反転処理部２２が色差信号Ｕ／Ｖの認識の反転を行うことにより、色差信号Ｕ／Ｖの値“ｕ”が色差値Ｕとして正確に認識される。また、水平同期信号Ｈの立ち上がりから偶数番目に配列される色差信号Ｕ／Ｖの値“ｖ”が色差値Ｖとして正確に認識される。
【０３１８】
（１１）デジタル信号受信プログラム
デジタル映像処理回路２０における色差処理、反転処理および原色変換処理は、ＭＣＵ４０が以下に説明するデジタル信号受信プログラムに基づいてデジタル映像処理回路２０を制御することにより行われる。
【０３１９】
図１２〜図１５は、本発明の一実施の形態に係るデジタル信号受信プログラムのフローチャートである。
【０３２０】
初めに、ＭＣＵ４０は、ＨＤＭＩレシーバ１０のレジスタに格納された水平画素数ｈｒおよび垂直走査線数ｖｒを読み込む（ステップＳ１０）。
【０３２１】
次に、ＭＣＵ４０は、水平画素数ｈｒ、垂直走査線数ｖｒおよび自己が記憶する映像フォーマットテーブルに基づいて入力されるデジタル映像信号の映像フォーマットを判別する（ステップＳ１１）。
【０３２２】
そこで、ＭＣＵ４０は、判別した映像フォーマットのフィールド周波数が６０Ｈｚであるか否かを判別する（ステップＳ１２）。
【０３２３】
ＭＣＵ４０は、映像フォーマットのフィールド周波数が６０Ｈｚである場合、第１のブランキング画素数ｈｄｅの演算検出を行う（ステップＳ１００）。具体的なステップＳ１００の動作は次の通りである。
【０３２４】
ＭＣＵ４０は、ＨＤＭＩレシーバ１０から水平画素数ｈｒ、有効水平画素数ｄｅｐおよび第２のブランキング画素数ｂｂを読み込む（ステップＳ１３）。そして、ＭＣＵ４０は、水平画素数ｈｒから有効水平画素数ｄｅｐおよび第２のブランキング画素数ｂｂを減算することにより第１のブランキング画素数ｈｄｅを算出する（ステップＳ１４）。これにより、演算検出による第１のブランキング画素数ｈｄｅの検出が行われる。その後、ＭＣＵ４０は、後述するステップＳ３０の動作を行う。
【０３２５】
上記ステップＳ１２において、ＭＣＵ４０は、映像フォーマットのフィールド周波数が６０Ｈｚでない場合、すなわち映像フォーマットのフィールド周波数が５０Ｈｚである場合、第１のブランキング画素数ｈｄｅのカウント検出を行う（ステップＳ２００）。具体的なステップＳ２００の動作は次の通りである。
【０３２６】
ＭＣＵ４０は、デジタル映像処理回路２０のレジスタに格納された第１のブランキング画素数ｈｄｅを読み込むとともに記憶する（ステップＳ２０）。そして、ＭＣＵ４０は、第１のブランキング画素数ｈｄｅの読み込み回数をカウントする（ステップＳ２１）。
【０３２７】
そこで、ＭＣＵ４０は、第１のブランキング画素数ｈｄｅの読み込み回数が３回目以上であるか否かを判別する（ステップＳ２２）。
【０３２８】
ＭＣＵ４０は、読み込み回数が３回目以上である場合に、読み込みごとに記憶した第１のブランキング画素数ｈｄｅの値が３回連続して一致するか否かを判別する（ステップＳ２３）。
【０３２９】
第１のブランキング画素数ｈｄｅの値が３回連続して一致する場合、ＭＣＵ４０は、記憶した値を第１のブランキング画素数ｈｄｅとして認識する（ステップＳ２４）。これにより、カウント検出による第１のブランキング画素数ｈｄｅの検出が行われる。その後、ＭＣＵ４０は、後述するステップＳ３０の動作を行う。
【０３３０】
なお、上記ステップＳ２２において、ＭＣＵ４０は、読み込み回数が３回目以上でない場合にステップＳ２０〜Ｓ２２の動作を繰り返す。
【０３３１】
また、上記ステップＳ２３において、ＭＣＵ４０は、３回連続で記憶した値が一致しない場合、読み込み回数をリセットし（ステップＳ２５）、ステップＳ２０〜Ｓ２３の動作を繰り返す。
【０３３２】
ステップＳ１００またはステップＳ２００において第１のブランキング画素数ｈｄｅを検出した後、ＭＣＵ４０は、受信されたデジタル映像信号の映像フォーマットが、５２５Ｉ（６０Ｈｚ）であるか否かを判別する（ステップＳ３０）。
【０３３３】
ＭＣＵ４０は、映像フォーマットが５２５Ｉ（６０Ｈｚ）である場合、検出した第１のブランキング画素数ｈｄｅの値を４で除算し（ステップＳ３１）、その除算の結果から余りが２または３であるか否かを判別する（ステップＳ３２）。
【０３３４】
ＭＣＵ４０は、余りが２または３である場合、判別した映像フォーマットに基づいてデジタル映像処理回路２０の動作を制御し（ステップＳ６０）、デジタル映像処理回路２０からＰＤＰ駆動回路３０に原色信号Ｒ，Ｇ，Ｂ、水平同期信号Ｈ、垂直同期信号Ｖ、データイネーブル信号ＤＥおよびサンプリングクロック信号ＣＬＫを伝送させる。これにより、ＭＣＵ４０はＰＤＰ５０に映像を表示させる（ステップＳ６１）。
【０３３５】
ＭＣＵ４０は、ステップＳ３２において、ステップＳ３１による除算結果から余りが２または３でない場合、すなわち余りが０または１である場合、反転処理部２２を制御することにより反転処理を行い、色差処理部２１による色差信号Ｕ／Ｖの認識を反転させる（ステップＳ３３）。その後、ＭＣＵ４０は、上記同様、ステップＳ６０，Ｓ６１の動作を行う。
【０３３６】
上記ステップＳ３０において、ＭＣＵ４０は、映像フォーマットが５２５Ｉ（６０Ｈｚ）でない場合、受信されたデジタル映像信号の映像フォーマットが、６２５Ｉ（５０Ｈｚ）であるか否かを判別する（ステップＳ４０）。
【０３３７】
ＭＣＵ４０は、映像フォーマットが６２５Ｉ（５０Ｈｚ）である場合、検出した第１のブランキング画素数ｈｄｅの値を４で除算し（ステップＳ４１）、その除算の結果から余りが０または１であるか否かを判別する（ステップＳ４２）。
【０３３８】
ＭＣＵ４０は、余りが０または１である場合、ステップＳ６０，Ｓ６１の動作を行う。一方、ＭＣＵ４０は、ステップＳ４１による除算結果から余りが０または１でない場合、すなわち２または３である場合、反転処理部２２を制御することにより反転処理を行い、上記ステップＳ３３の動作を行う。その後、ＭＣＵ４０は、ステップＳ６０，Ｓ６１の動作を行う。
【０３３９】
上記ステップＳ４０において、ＭＣＵ４０は、映像フォーマットが６２５Ｉ（５０Ｈｚ）でない場合、検出した第１のブランキング画素数ｈｄｅの値が、偶数であるか否かを判別する（ステップＳ５０）。
【０３４０】
ＭＣＵ４０は、第１のブランキング画素数ｈｄｅの値が偶数である場合、ステップＳ６０，Ｓ６１の動作を行う。一方、ＭＣＵ４０は、第１のブランキング画素数ｈｄｅの値が偶数でない場合、反転処理部２２を制御することにより反転処理を行い、色差処理部２１による色差信号Ｕ／Ｖの認識を反転させる（ステップＳ５１）。その後、ＭＣＵ４０は、上記同様、ステップＳ６０，Ｓ６１の動作を行う。
【０３４１】
（１２）  各構成要素の実現方法
本実施の形態においては、図１で示すデジタル信号受信装置１００の構成要素の一部がソフトウェアにより機能的に実現され、他の部分が電気回路等のハードウェアにより実現されてもよい。または、デジタル信号受信装置１００の構成要素の全てがハードウェアにより実現されてもよい。
【０３４２】
（１３）  効果
本実施の形態に係るデジタル信号受信装置１００においては、ＨＤＭＩレシーバ１０によりデジタル映像信号が受信される。ＨＤＭＩレシーバ１０は、受信したデジタル映像信号を復号し、輝度信号Ｙ、色差信号Ｕ／Ｖ、水平同期信号Ｈ、垂直同期信号Ｖ、データイネーブル信号ＤＥおよびサンプリングクロック信号ＣＬＫをデジタル映像処理回路２０へ伝送する。色差信号Ｕ／Ｖには２種類の色差信号Ｕおよび色差信号Ｖが交互に多重化されている。
【０３４３】
ＭＣＵ４０は、ＨＤＭＩレシーバ１０のレジスタに格納された映像フォーマットに関する情報を読み込み、その情報に基づいて受信されるデジタル映像信号の映像フォーマットを検出するとともに、デジタル映像処理回路２０を制御する。
【０３４４】
デジタル映像処理回路２０の色差処理部２１は、色差信号Ｕ／Ｖの値を、ＭＣＵ４０により検出された映像フォーマットに対応して予め定められた順序で色差値Ｕおよび色差値Ｖとして順次認識する。
【０３４５】
ここで、ＭＣＵ４０は、ＨＤＭＩレシーバ１０からデジタル映像処理回路２０に伝送される色差信号Ｕ／Ｖの値が、映像フォーマットに応じて予め定められた順序に従うか否かを第１のブランキング画素数ｈｄｅに基づき判別する。
【０３４６】
そして、ＭＣＵ４０は、判別結果に基づいてデジタル映像処理回路２０を制御する。
【０３４７】
ＭＣＵ４０により、色差処理部２１の認識順序と、実際にデジタル映像処理回路２０に入力される色差信号Ｕ／Ｖの色差値Ｕおよび色差値Ｖの順序が正しくないと判別された場合、ＭＣＵ４０は反転処理部２２を制御し、色差信号Ｕ／Ｖの認識の反転を行う。
【０３４８】
これにより、色差信号Ｕ／Ｖの値が適正な映像フォーマットの色差信号Ｕ／Ｖの順序に従わないデジタル映像信号が受信されたときに、色差信号Ｕ／Ｖの色差値Ｕおよび色差値Ｖが、色差処理部２１により誤って色差値Ｖおよび色差値Ｕとして認識される場合であっても、誤った認識結果が反転処理部２２により修正される。
【０３４９】
その結果、受信されるデジタル映像信号が規格に正確に従っていない場合でも正確に色差信号Ｕ／Ｖの色差値Ｕおよび色差値Ｖを生成することができる。
【０３５０】
以上に示すように、本実施の形態において、信号受信装置１００で受信されるデジタル映像信号はＨＤＭＩ規格に準拠するが、信号受信装置１００で受信されるデジタル映像信号はＤＶＩ（Digital Visual Interface ）規格に準拠するものであってもよい。
【０３５１】
（１４）  請求項の各構成要素と実施の形態の各部との対応
以下、請求項の各構成要素と実施の形態の各部との対応の例について説明するが、本発明は下記の例に限定されない。
【０３５２】
以上、本発明の一実施の形態に係るデジタル信号受信装置およびデジタル信号受信方法においては、デジタル映像信号がデジタル信号に相当し、ＨＤＭＩレシーバ１０が信号受信部に相当し、ＭＣＵ４０が映像フォーマット検出部および認識判定部に相当し、デジタル映像処理回路２０および色差処理部２１が色差処理部に相当し、デジタル映像処理回路２０および反転処理部２２が認識反転部に相当し、デジタル映像処理回路２０および変換処理部２３が原色信号生成部に相当する。
【０３５３】
また、水平画素数ｈｒおよび水平走査期間ＨＲが水平走査期間に相当し、有効水平画素数ｄｅｐおよび有効映像期間ＤＥＰが有効映像期間に相当し、第２のブランキング画素数ｂｂおよび第２のブランキング期間ＢＢが第２の期間に相当し、第１のブランキング画素数ｈｄｅおよび第１のブランキング期間ＨＤＥが第１の期間に相当し、デジタル映像処理回路２０が第１の期間検出部に相当し、第１のブランキング画素数ｈｄｅが第１の画素数に相当し、原色信号Ｒ，Ｇ，Ｂが複数の原色信号に相当する。
【産業上の利用可能性】
【０３５４】
本発明は、デジタル映像信号を受信するデジタル信号受信装置に適用可能である。
【図面の簡単な説明】
【０３５５】
【図１】ＨＤＭＩ規格に準拠したデジタル信号受信装置を説明するためのブロック図
【図２】図１のＨＤＭＩレシーバからデジタル映像処理回路に伝送される信号の一例を示すタイミング図
【図３】図１のＨＤＭＩレシーバおよびデジタル映像処理回路に格納される情報を示す図
【図４】ＭＣＵに予め記憶される映像フォーマットテーブルを示す図
【図５】ＭＣＵの読み込み周期が映像フォーマットのフィールド周期とほぼ一致する場合と、ＭＣＵの読み込み周期がフィールド周期と一致しない場合とを比較するための図
【図６】図１のＨＤＭＩレシーバのレジスタに格納される情報の一例を示す図
【図７】図１の色差処理部に設定された色差信号の認識動作および色差信号の誤認識を説明するための図
【図８】図１の色差処理部に設定された色差信号の認識動作および色差信号の誤認識を説明するための図
【図９】図１の色差処理部に設定された色差信号の認識動作および色差信号の誤認識を説明するための図
【図１０】図１の反転処理部による反転処理の具体例を説明するための図
【図１１】図１の反転処理部による反転処理の具体例を説明するための図
【図１２】本発明の一実施の形態に係るデジタル信号受信プログラムのフローチャート
【図１３】本発明の一実施の形態に係るデジタル信号受信プログラムのフローチャート
【図１４】本発明の一実施の形態に係るデジタル信号受信プログラムのフローチャート
【図１５】本発明の一実施の形態に係るデジタル信号受信プログラムのフローチャート
【図１６】ＨＤＭＩ規格に準拠したデジタル信号受信装置を説明するためのブロック図
【図１７】図１６のＨＤＭＩレシーバから映像信号処理回路に伝送される信号の一例を示すタイミング図
【図１８】図１６のデジタル映像処理回路の処理を説明するためのタイミング図
【図１９】不正な信号が与えられた場合のデジタル映像処理回路の処理を説明するためのタイミング図
【符号の説明】
【０３５６】
１００  デジタル信号受信装置
１０  ＨＤＭＩレシーバ
２０  デジタル映像処理回路
２１  色差処理部
２２  反転処理部
２３  変換処理部
４０  ＭＣＵ
ｂｂ  第２のブランキング画素数
ｄｅｐ  有効水平画素数
ｈｒ  水平画素数
ＢＢ  第２のブランキング期間
ＤＥＰ  有効映像期間
ＨＲ  水平走査期間
Ｒ，Ｇ，Ｂ  原色信号
【図１】
2007281667.tif 000003
【図２】
2007281667.tif 000004
【図３】
2007281667.tif 000005
【図４】
2007281667.tif 000006
【図５】
2007281667.tif 000007
【図６】
2007281667.tif 000008
【図７】
2007281667.tif 000009
【図８】
2007281667.tif 000010
【図９】
2007281667.tif 000011
【図１０】
2007281667.tif 000012
【図１１】
2007281667.tif 000013
【図１２】
2007281667.tif 000014
【図１３】
2007281667.tif 000015
【図１４】
2007281667.tif 000016
【図１５】
2007281667.tif 000017
【図１６】
2007281667.tif 000018
【図１７】
2007281667.tif 000019
【図１８】
2007281667.tif 000020
【図１９】
2007281667.tif 000021